(57)【要約】  薬剤容器は、フレーム、スロットを含むドロワ、１つ以上のセンサの第１のセットおよび１つ以上のセンサの第２のセットのうちの少なくとも１つ、および電子送信機を含むことができる。ドロワ内のスロットは、薬剤を格納するカートリッジを受入れることができる。第１のセンサセットは、ドロワがフレーム内または外に予め設定された距離を超えて移動したか否かを検出することができる。第２のセンサセットは、カートリッジが対応するスロットから取出されたか否かおよび／またはカートリッジの内容物を検出することができる。電子送信機は、ドロワがフレーム内または外へと予め設定された距離を超えて移動したか否か、およびカートリッジが対応するスロットから取出されたか否かのうちの少なくとも１つを特徴付けるデータを、通信ネットワークを介してサーバーコンピュータに送信することができる。他の薬剤容器およびアラートを生成するためのシステムが記載されている。
2019534738.tif 000002
【特許請求の範囲】
【請求項１】
薬剤容器において、
フレームと；
前記フレーム内および外へ摺動するように構成されたドロワと；
薬剤を収納する複数のカートリッジを受入れるように構成された、前記ドロワ内の複数のスロットと；
前記ドロワが予め設定された距離を超えて前記フレーム内へ移動したかまたはその外へ移動したかのうちの少なくとも１つを検出するように構成された１つ以上のセンサの第１のセット、および
前記複数のカートリッジのうちの１つのカートリッジが前記複数のスロットのうちの対応するスロットから取出されたかまたはこの対応するスロットに挿入されたかのうちの少なくとも１つを検出するように構成された１つ以上のセンサの第２のセット、
のうちの少なくとも１つのセットと；
前記ドロワが前記予め設定された距離を超えて前記フレーム内へ移動したかまたはこのフレームの外へ移動したか、および前記カートリッジが前記対応するスロットから取出されたかまたはこのスロットに挿入されたか、のうちの少なくとも１つを特徴付けるデータを、通信ネットワークを介してサーバーコンピュータに送信するように構成された電子送信機と；
を含む薬剤容器。
【請求項２】
前記サーバーコンピュータが、前記データに基づいてアラートおよび勧告のうちの少なくとも１つを生成するように構成されている、請求項１に記載の容器。
【請求項３】
前記複数のカートリッジの全てが前記同じ薬剤を含む、請求項１に記載の容器。
【請求項４】
前記フレームが１つ以上のフックを含み、前記１つ以上のフックが、前記フレームを吊るすことまたは前記フレームを別のフレームと噛合可能な形で積重ねることのうちの少なくとも１つを可能にする、請求項１に記載の容器。
【請求項５】
前記複数のフレームが直列である、請求項１に記載の容器。
【請求項６】
前記ドロワに取付けられた磁石をさらに含み、前記１つ以上のセンサは、前記磁石の動きを検出して、前記ドロワが前記予め設定された距離を超えて前記フレームから外に移動したか否かを検出するように構成されている、請求項１に記載の容器。
【請求項７】
前記磁石が希土類材料製である、請求項６に記載の容器。
【請求項８】
１つ以上のセンサの前記第２のセットが前記ドロワの内部に貼付され、１つ以上のセンサの前記第２のセットは、前記カートリッジが前記対応するスロットから取出されたか否かを検出するための１つ以上のタッチセンサおよび１つ以上の静電容量センサである、請求項１に記載の容器。
【請求項９】
１つ以上のセンサの前記第２のセットが前記フレーム内に位置付けされ、１つ以上のセンサの前記第２のセットは、予め設定された距離内の物体を検出するように構成され、１つ以上のセンサの前記第２のセットは、前記カートリッジの存在または不在を検出する、請求項１に記載の容器。
【請求項１０】
薬剤容器において、
薬剤を格納する複数のカートリッジを摺動可能な形で受入れるように構成された複数のスロットを含むフレームであって、前記複数のカートリッジが前記フレームの前記複数のスロット内および外へ摺動するように構成されている、フレームと；
前記複数のスロットの各スロットが対応するカートリッジを含んでいるか否かを決定するように構成された１つ以上のセンサと；
前記スロットのうちの１つ以上がカートリッジを含んでいるか否かを特徴付けるデータを、通信ネットワークを介してサーバーコンピュータに送信するように構成された電子送信機と；
を含む薬剤容器。
【請求項１１】
前記複数のスロットが、他の２つのスロットの上方に２つのスロットを有するツーバイツー構成で配設された４つのスロットを含む、請求項１０に記載の容器。
【請求項１２】
キャップで閉鎖されるように構成された容器と；
前記容器の内部に挿入されるように構成され、前記容器の内部に完全に挿入された時点で前記容器を前記キャップで閉鎖できるようにする、薬剤収納用カートリッジと；
を含む装置。
【請求項１３】
前記カートリッジの本体が、前記容器の内部のキャビティ内に嵌合し、前記カートリッジの一部分は、前記容器が前記キャップを受容する領域内で前記容器の上面を覆っている、請求項１２に記載の装置。
【請求項１４】
前記カートリッジの外部表面上の１つ以上の場所が、前記容器の内部表面に粘着する接着剤を含む、請求項１２に記載の装置。
【請求項１５】
前記カートリッジの一部分が前記容器の外部に延在し、前記容器を保持するためのグリップとして役立つように構成されている、請求項１２に記載の装置。
【請求項１６】
前記カートリッジの一部分が前記容器の外部に延在し、表示要素として役立つように構成されている、請求項１２に記載の装置。
【請求項１７】
前記表示要素が、前記カートリッジ内部の内容物を識別するデータを表示するように構成されている、請求項１６に記載の装置。
【請求項１８】
前記表示要素が、前記カートリッジ内部の前記内容物を識別する前記データを含む印刷されたラベルを含む、請求項１７に記載の装置。
【請求項１９】
前記表示要素が矩形形状である、請求項１７に記載の装置。
【請求項２０】
前記表示要素が円筒形形状である、請求項１７に記載の装置。
【請求項２１】
前記カートリッジが、栓またはライナのうちの少なくとも１つで閉鎖されるように構成されており、前記栓および前記ライナの各々は前記キャップと異なり別個である、請求項１２に記載の装置。
【請求項２２】
前記カートリッジは、前記カートリッジ内部の内容物が飛び出すのを防ぐため前記栓および前記ライナの各々により封止されるように構成されており、前記栓および前記ライナの各々は前記カートリッジから取外し可能である、請求項２１に記載の装置。
【請求項２３】
前記カートリッジは、乾燥剤チャンバおよび少なくとも１つの乾燥剤袋を含み、前記乾燥剤チャンバには、湿気が前記カートリッジの本体から前記乾燥剤袋内に移行し、前記カートリッジの内容物を前記乾燥剤袋から物理的に分離することを可能にする穿孔が含まれている、請求項１２に記載の装置。
【請求項２４】
容器と；
前記容器を閉鎖するためのキャップと；
前記キャップにまたは前記キャップの内部に貼付されたキャップセンサ要素と；
前記キャップセンサ要素と通信状態にある容器センサ要素と；
を含み、前記キャップセンサ要素と前記容器センサ要素は、共に動作して、前記キャップが前記容器センサ要素から閾値距離内に存在するか否かを検出するように構成されている、システム。
【請求項２５】
前記容器が電池から電力を引込むのを防ぐために前記容器の電池区画内部に挿入されるように、かつ前記容器が前記電池から電力を引込むことを可能にするために取外すように構成されたプルタブ構成要素をさらに含む、請求項２４に記載のシステム。
【請求項２６】
前記容器センサはさらに、前記容器内部の内容物の数量を検出するように構成されている、請求項２４に記載のシステム。
【請求項２７】
前記容器センサに対して通信可能な形で結合され、通信ネットワークを介してサーバーコンピュータに対して、前記容器内部の前記内容物の前記数量を標示するデータを送るように構成された電気回路をさらに含み、前記電気回路は、前記内容物の数量が閾値より低い場合に前記サーバーコンピュータからアラートを標示するデータを受信するように構成されている、請求項２６に記載のシステム。
【請求項２８】
第１の通信ネットワークを介して、１つ以上のカートリッジを含む薬剤容器上の回路から、前記１つ以上のカートリッジまたは前記１つ以上のカートリッジ内部の予め設定された量の内容物が、予め設定された時間内に引出されなかったことを標示するデータを受信するように構成された、少なくとも１つの通信受信機と；
前記少なくとも１つ通信受信機に対し通信可能な形で結合された少なくとも１つのデータベースであって、前記１つ以上のカートリッジまたは前記前記１つ以上のカートリッジ内部の前記予め設定された量の内容物が、前記予め設定された時間内に引出されなかったことを標示する前記データを少なくとも記憶するように構成されている少なくとも１つのデータベースと；
前記少なくとも１つの通信受信機および前記少なくとも１つのデータベースのうちの少なくとも１つに対して通信可能な形で結合された少なくとも１つのプログラマブルプロセッサであって、前記データの前記受信に後続してかつこの受信に少なくとも部分的に基づいて、少なくとも１つの基準が満たされているか否かを決定するように構成され、かつ前記少なくとも１つの基準が満たされている場合にアラートを生成するように構成されている、少なくとも１つのプログラマブルプロセッサと；
前記少なくとも１つのプログラマブルプロセッサに対し通信可能な形で結合され、第２の通信ネットワークを介して前記薬剤容器または別のコンピュータデバイスに対し前記アラートを送信するように構成されている、少なくとも１つの通信送信機と；
を含むシステム。
【請求項２９】
前記１つ以上のカートリッジ内部の前記予め設定された量の内容物が引出されなかったことの前記標示は、前記薬剤容器内部に格納された薬剤の一用量を、予め設定された時間内に患者が失念したことを標示している、請求項２８に記載のシステム。
【請求項３０】
前記コンピュータデバイスが、デスクトップコンピュータ、ラップトップコンピュータ、タブレットコンピュータ、ファブレットコンピュータ、および携帯電話の１つである、請求項２８に記載のシステム。
【請求項３１】
前記コンピュータデバイスは、前記薬剤容器を使用して患者を処置する介護者、前記患者に薬剤を提供する認可を受けた薬局、および前記患者のヘルスケアデータを得る認可を受けたヘルスケア会社のうちの少なくとも１つにより動作させられるように構成されている、請求項２８に記載のシステム。
【請求項３２】
前記第１の通信ネットワークが前記第２の通信ネットワークと同じである、請求項２８に記載のシステム。
【請求項３３】
前記第１の通信ネットワークが前記第２の通信ネットワークと異なりかつ別個である、請求項２８に記載のシステム。
【請求項３４】
前記少なくとも１つの基準を満たすことが、閾値を上回る前記薬剤容器と結び付けられたユーザまたはエンティティの１つのリスクレベルであり、前記少なくとも１つのプログラマブルプロセッサは、前記薬剤容器と結び付けられたユーザまたはエンティティの前記リスクレベルを決定し、それを前記閾値と比較するように構成されている、請求項２８に記載のシステム。
【請求項３５】
前記少なくとも１つのプログラマブルプロセッサは、少なくとも部分的に、前記データベース内に記憶された履歴データに基づいて前記リスクレベルを計算し；
前記履歴データには、薬剤容器のキャップの開放および／または閉鎖に関するデータ；薬剤容器のドロワ内および／または外への摺動に関するデータ；薬剤容器内への１つ以上のカートリッジの挿入および／または前記薬剤容器からの前記１つ以上のカートリッジの取出しに関するデータ；投薬計画に対する患者の順守の尤度を特徴付ける順守スコア；前記薬剤容器からの薬剤の引出しパターン；このような薬剤引出しパターンの複雑性；薬剤容器または薬剤容器内部のカートリッジへの補充パターン；薬剤容器または薬剤容器内部のカートリッジへのこのような補充パターンの不正確性；前記薬剤容器内の薬剤のタイプ；前記薬剤を消費するための投薬量要件；前記薬剤容器の前記回路と前記少なくとも１つの通信受信機との間の１つ以上の先行通信のタイミング；前記薬剤容器の前記回路と前記少なくとも１つの通信受信機との間で、前記１つ以上の先行通信中に交換されたデータ；および前記１つ以上の先行通信に関して指摘された１つ以上のエラー、のうちの少なくとも１つが含まれる、
請求項３４に記載のシステム。
【請求項３６】
前記少なくとも１つの基準を満たすことが、別の予め設定された時間内での前記１つ以上のカートリッジ内部の前記予め設定された量の内容物の引出しの欠如であり、他の予め設定された時間内での前記１つ以上のカートリッジ内部の前記予め設定された量の内容物の引出しの前記欠如は、前記薬剤容器内部に格納された薬剤の一用量が前記他の予め設定された時間内で失念されことを標示する、請求項２８に記載のシステム。
【請求項３７】
前記他の予め設定された時間内での前記予め設定された量の引出しの欠如を標示する前記データは、前記データベース内に記憶され、
前記少なくとも１つのプログラマブルプロセッサは、他の予め設定された時間内での前記予め設定された量の引出しの欠如を標示する前記データを前記データベースから受信することによって、前記他の予め設定された時間内での前記予め設定された量の引出しの欠如を決定する、
請求項３６に記載のシステム。
【請求項３８】
前記少なくとも１つの基準を満たすことは、予め設定された時間後の前記１つ以上のカートリッジ内部の前記予め設定された量の内容物の引出しであり、前記予め設定された時間後の前記１つ以上のカートリッジ内部の前記予め設定された量の内容物の引出しは、患者が前記薬剤を遅延して服用したことを標示する、請求項２８に記載のシステム。
【請求項３９】
前記少なくとも１つのプログラマブルプロセッサは、前記薬剤容器上の前記回路から、前記１つ以上のカートリッジ内部の前記予め設定された量の内容物の引出しを標示するデータを受信するように構成されており、前記少なくとも１つのプログラマブルプロセッサは、前記引出しを標示する前記データの前記受信の時点を識別して、前記引出しが前記予め設定された時間の後であるか否かを決定する、請求項３８に記載のシステム。
【請求項４０】
前記少なくとも１つの基準を満たすことが、予め設定された時間後の前記１つ以上のカートリッジのうちの少なくとも１つのカートリッジの補充であり、前記予め設定された時間後の前記少なくとも１つのカートリッジの前記補充は、前記少なくとも１つのカートリッジの前記補充が遅延したことを標示している、請求項２８に記載のシステム。
【請求項４１】
前記少なくとも１つのプログラマブルプロセッサは、前記薬剤容器上の前記回路から、前記少なくとも１つのカートリッジの前記補充を標示するデータを受信するように構成されており、前記少なくとも１つのプログラマブルプロセッサは、少なくとも１つのカートリッジの前記補充の時点を識別して、前記補充が遅延したか否かを決定する、請求項４０に記載のシステム。
【請求項４２】
第１の通信ネットワークを介して、薬剤容器上の回路から、薬剤容器の１つ以上のカートリッジが、予め設定された時間内に補充されなかったことを標示するデータを受信するように構成された、少なくとも１つの通信受信機と；
前記少なくとも１つの通信受信機のうちの少なくとも１つに対して通信可能な形で結合された少なくとも１つのプログラマブルプロセッサであって、前記データの前記受信に少なくとも部分的に基づいてアラートを生成するように構成されている、少なくとも１つのプログラマブルプロセッサと；
前記少なくとも１つのプログラマブルプロセッサに対し通信可能な形で結合され、第２の通信ネットワークを介して前記薬剤容器または別のコンピュータデバイスに対し前記アラートを送信するように構成されている、少なくとも１つの通信送信機と；
を含むシステム。
【請求項４３】
第１の通信ネットワークを介して、第１のコンピュータデバイスからメッセージを受信するように構成された、少なくとも１つの通信受信機と；
前記少なくとも１つの通信受信機のうちの少なくとも１つに対して通信可能な形で結合された少なくとも１つのプログラマブルプロセッサであって、前記メッセージの前記受信時点でアラートを生成するように構成されている、少なくとも１つのプログラマブルプロセッサと；
前記少なくとも１つのプログラマブルプロセッサに対し通信可能な形で結合され、第２の通信ネットワークを介して第２のコンピュータデバイスに対し前記アラートを送信するように構成されている、少なくとも１つの通信送信機と；
を含むシステム。
【請求項４４】
前記メッセージが、追加のケアに対する要求を含む、請求項４３に記載のシステム。
【発明の詳細な説明】
【技術分野】
【０００１】
関連出願
本開示は、２０１６年９月２８日出願で「薬剤および薬剤パッケージの遠隔管理のための装置および方法」という名称の米国仮特許出願第６２／４００，７２８号；２０１６年１０月１３日出願で「使い捨ておよび再利用可能なスマート薬剤パッケージングインサートのための装置および方法」という名称の米国仮特許出願第６２／４０７，６５６号；および２０１６年１０月２８日出願で「スマート薬剤容器の閉鎖検出および活動化のためのシステムおよび方法」という名称の米国仮特許出願第６２／４１４，２６１号の利益およびこれに対する優先権を主張するものである。上述の特許出願の内容は、その全体が参照により本明細書に組込まれている。
【０００２】
本明細書中に記載の主題は、スマート薬剤容器、薬剤容器内部に嵌合すべき１つ以上のカートリッジおよび、薬剤容器を閉鎖するためのスマートキャップのうちの少なくとも１つを含む装置に関する。本開示は同様に、例えば投薬計画に対する患者の順守率の改善または維持および／または患者、介護者および／または他の当事者、例えば薬局などによる薬剤の在庫管理の改善を目的とした、患者、介護者および／または他の当事者（例えば薬局）に対する異なる介入を決定し提供するためのシステムおよびコンピュータ実施関連の方法にも関する。
【背景技術】
【０００３】
薬剤は、いくつかの異なるタイプの容器内にパッケージングされる。しかしながら、従来の薬剤容器は、薬剤を安全に保護せず、中に保管された薬剤に対する容易なアクセスを提供しない。その上、従来の薬剤容器は、薬剤が薬剤容器から取出されたか否かまたはいつ取出されたかを検出せず、ましてやそれを正確に行なうことはできない。従来の薬剤容器は、さらに、通信されたデータを用いて患者に対するリマインダおよびアラートを生成することのできる遠隔サーバーコンピュータとの通信を可能にする通信能力を有していない。さらに、従来の薬剤容器は、取出し可能なカスタマイズされたカートリッジを内部に設置することを可能にせず、したがってこのような薬剤容器は使用毎に廃棄される。
【発明の概要】
【０００４】
本開示は、スマート薬剤容器、薬剤容器内部に嵌合すべき１つ以上のカートリッジ、および薬剤容器を閉鎖するためのスマートキャップ、のうちの少なくとも１つを含む装置に関する。スマート薬剤容器は、有利にも、薬剤を安全に保護すること；薬剤容器内の薬剤への容易なアクセスを可能にすること；薬剤が薬剤容器からいつ取出されたかまたは取出された確率が高いかを検出すること；ならびに患者および／またはエンティティまたは施設、例えば薬局に向けたリマインダおよびアラートを生成するために薬剤容器による検出の詳細を使用することのできる遠隔サーバーコンピュータと、通信ネットワークを介しこれらの詳細を通信すること、という目的の１つ以上（例えば全て）を達成することができる。カスタマイズされたカートリッジは、上述のスマート薬剤容器内に（例えば患者または薬局の担当者によって）取出し可能な形で挿入され得る。いくつかの実施形態において、スマート薬剤容器のスマートキャップは、スマート薬剤容器による１つ以上のアクションを活動化するかまたはひき起こすことができ、かつ／または、スマート薬剤容器上にキャップが存在するか否かをシグナリングまたは検出することができる。
【０００５】
１つの態様において、薬剤容器が説明される。薬剤容器は、フレーム、ドロワ、ドロワ内の複数のスロット、１つ以上のセンサの第１のセットおよび１つ以上のセンサの第２のセットのうちの少なくとも１つ、および電子送信機を含むことができる。ドロワは、フレーム内および外へと摺動するように構成され得る。ドロワ内の複数のスロットは、薬剤を格納する複数のカートリッジを受入れるように構成され得る。１つ以上のドロワセンサと呼ぶことのできる１つ以上のセンサの第１のセットは、ドロワが予め設定された距離を超えてフレーム内に移動したかまたは外へ移動したかを検出するように構成され得る。１つ以上のカートリッジセンサと呼ぶことのできる１つ以上のセンサの第２のセットは、複数のカートリッジのうちの１つのカートリッジが複数のスロットのうちの対応するスロットから取出されたかまたはこの対応するスロットに挿入されたかを検出するように構成され得る。電子送信機（例えばネットワークインタフェースを含む）は、例えば、ドロワが予め設定された距離を超えてフレーム内に移動したかその外へ移動したか、カートリッジが対応するスロットから取出されたかまたはその中に挿入されたかのうちの少なくとも１つを特徴付けるデータ、および／または１つ以上のセンサによる検出の時点、スロットが空の状態にとどまった時間の長さ、スロットがカートリッジにより占有された状態にとどまった時間の長さ、ドロワが閉鎖状態にとどまった時間の長さおよび／またはドロワが開放状態にとどまった時間の長さなどのこれらの検出に結び付けられるタイミングデータを通信ネットワークを介してサーバーコンピュータに送信するように構成され得る。
【０００６】
いくつかの変形形態において、以下のものの１つ以上を個別に、または任意の組合せの形で実施することができる。サーバーコンピュータは、受信したデータに少なくとも部分的に基づいてアラート、リマインダおよび勧告のうちの少なくとも１つを生成するように構成され得る。複数のカートリッジの全てが同じ薬剤を含み得る。フレームは１つ以上のフックを含むことができる。１つ以上のフックは、フレームを吊るすことまたはフレームを別のフレームと噛合可能な形で積重ねることを可能にすることができる。複数のフレームは直列であり得る。各スロットは、対応するカートリッジが取出されたか否かを決定するために１つ以上のセンサを含んでいてよい。
【０００７】
薬剤容器はさらに、例えばドロワに、または代替的に、ドロワの一端部に隣接する領域内のフレームに取付けられた磁石をさらに含むことができる。１つ以上のセンサは、磁石の動きを検出して、ドロワが予め設定された距離を超えてフレームから外に移動したか否かを検出するように構成されていることができる。磁石は希土類材料製であり得る。
【０００８】
１つ以上のセンサの第２のセットは、例えばドロワの内部または代替的にフレームの内部に貼付され得る。１つ以上のセンサの第２のセットは、カートリッジが対応するスロットから取出されたかおよび／またはこのスロット内に入れられたかを検出するための１つ以上の重量センサ、赤外線センサ、タッチセンサまたは静電容量センサであり得る。１つ以上のセンサの第２のセットは、フレーム内に位置付けされ得る。１つ以上のセンサの第２のセットは、予め設定された距離内の物体を検出するように構成され得、１つ以上のセンサの第２のセットは、カートリッジの存在または不在を検出する。１つ以上のセンサの第２のセットは、代替的にまたは付加的に、１つ以上のカートリッジ内部の内容物の数量（例えば、重量、液量オンス、丸薬の数または他の任意の好適な定量化測定基準またはこのような測定基準の組合せにより標示されるような液体薬剤または丸薬の数量）を検出するように構成され得る。
【０００９】
別の態様において、別の薬剤容器が説明される。この薬剤容器は、フレーム、１つ以上のセンサ、および電子送信機を含み得る。フレームは、薬剤を格納する複数のカートリッジを受入れる（摺動可能な形で受入れる）ように構成された複数のスロットを含むことができる。複数のカートリッジはフレームの複数のスロット内および外へ摺動するように構成されている。１つ以上のカートリッジセンサと呼ぶことのできる１つ以上のセンサは、複数のスロットの各スロットが対応するカートリッジを封入、収納、保管、格納するかまたは他の形で含んでいるか否かを決定するように構成され得る。電子送信機（例えばネットワークインタフェースを含む）は、例えばスロットのうちの１つ以上がカートリッジを封入、収納、保管、格納するかまたは他の形で含んでいるか否かを特徴付けるデータ、および／または１つ以上のセンサによる検出の時点、スロットが空の状態にとどまった時間の長さ、および／またはスロットがカートリッジにより占有された状態にとどまった時間の長さなどのこれらの検出に結び付けられるタイミングデータを通信ネットワークを介してサーバーコンピュータに送信するように構成され得る。
【００１０】
いくつかの変形形態において、以下のものの１つ以上を実施することができる。複数のスロットは、他の２つのスロットの上方に２つのスロットを有するツーバイツー構成で配設された４つのスロットを含むことができる。１つ以上のセンサは、代替的にまたは付加的に、１つ以上のカートリッジ内部の内容物の数量（例えば、重量、液量オンス、丸薬の数または他の任意の好適な定量化測定基準またはこのような測定基準の組合せにより標示されるような液体薬剤または丸薬の数量）を検出するように構成され得る。
【００１１】
さらに別の態様においては、容器とカートリッジを含む得る装置が説明される。容器は、キャップで閉鎖されるように構成され得る。カートリッジは、容器の内部に挿入されるように構成され薬剤を封入、収納、保管、格納または他の形で含むことができる。カートリッジは、容器の内部に完全に挿入された時点で容器をキャップで閉鎖できるようにすることができる。
【００１２】
いくつかの変形形態においては、以下の１つ以上を個別にまたは任意の組合せの形で実施することができる。カートリッジの本体は、容器の内部のキャビティ内に嵌合することができる。カートリッジの一部分は、容器がキャップを受容する領域内で容器の上面を覆うことができる。カートリッジの外部表面上の１つ以上の場所は、容器の内部表面に粘着する接着剤を含むことができる。カートリッジの一部分は、容器の外部に延在でき、容器を保持するためのグリップとして役立つように構成され得る。カートリッジの一部分は容器の外部に延在でき、表示要素として役立つように構成され得る。表示要素は、カートリッジ内部の内容物を識別するデータを表示するように構成され得る。表示要素は、カートリッジ内部の内容物を識別するデータを含む印刷されたラベルを含むことができる。表示要素は矩形形状を有することができる。代替的には表示要素は円筒形形状を有することができる。装置はカートリッジの存在および／または不在、および／またはカートリッジ内部の内容物の数量（例えば、重量、液量オンス、丸薬の数または他の任意の好適な定量化測定基準またはこのような測定基準の組合せにより標示されるような液体薬剤または丸薬の数量）を検出するように構成された、１つ以上のカートリッジセンサと呼ぶことのできる１つ以上のセンサであり得る。装置は、センサデータおよび／または他のデータを遠隔サーバーコンピュータに通信するため、１つ以上のプロセッサおよび／または電子送信機（例えばネットワークインタフェースを含む）を含むことができる。
【００１３】
カートリッジは、栓またはライナのうちの少なくとも１つで閉鎖またはカバーされるように構成され得る。栓およびライナの各々はキャップと異なり別個であり得る。カートリッジは、カートリッジ内部の内容物が飛び出すのを防ぐため栓およびライナの各々により封止されるように構成され得る。栓およびライナの各々はカートリッジから取外し可能であり得る。カートリッジは、乾燥剤チャンバおよび少なくとも１つの乾燥剤袋を含むことができる。乾燥剤チャンバには、湿気がカートリッジの本体から乾燥剤袋内に移行し、カートリッジの内容物を乾燥剤袋から物理的に分離することを可能にする穿孔が含まれ得る。
【００１４】
一態様において、容器、容器センサ要素、キャップおよびキャップセンサ要素を含み得るシステム（例えば投薬装置）が説明される。キャップは、容器を閉鎖するように構成され使用される。キャップセンサ要素は、キャップにまたはキャップの内部に貼付され得る。容器センサ要素は、キャップセンサ要素と通信状態にあって、キャップが容器センサ要素から閾値距離内に存在するか否かを検出することができる。いくつかの変形形態において、容器センサ要素は、キャップセンサ要素が閾値距離内にあるか否かを検出する。他の変形形態において、キャップセンサ要素は、容器センサ要素が閾値距離内にあるか否かを検出する。
【００１５】
いくつかの変形形態において、以下のものの１つ以上を、個別にまたは任意の組合せの形で実施することができる。システムは、容器が電池から電力を引込むのを防ぐために容器の電池区画内部に挿入されるように、かつ容器が電池から電力を引込むことを可能にするために取外されるように構成された、プルタブ構成要素を含むことができる。容器センサ要素および／またはキャップセンサ要素および／または異なる１つ以上のセンサは、カートリッジ内部の内容物の数量（例えば、重量、液量オンス、丸薬の数または他の任意の好適な定量化測定基準またはこのような測定基準の組合せにより標示されるような液体薬剤または丸薬の数量）を検出するように構成され得る。
【００１６】
システムは、容器センサ要素および／またはキャップセンサ要素に対し通信可能な形で結合された電気回路を含むことができる。電気回路（例えば１つ以上のプロセッサおよびネットワークインタフェース）は、キャップが開放および／または閉鎖される時点、キャップが開放および／または閉鎖している１回以上の時点（例えば薬剤容器の１つ以上のセンサまたは１つ以上のプロセッサによって生成される１つ以上のタイムスタンプによって標示されるようなもの）、キャップが開放および／または閉鎖状態にとどまっている時間の１つ以上の長さまたは持続時間、および／または容器内部の内容物の数量（例えば、容器のキャビティの内部または容器のキャビティ内に格納されたカートリッジの内部の内容物の数量）を標示するデータを、通信ネットワークを介してサーバーコンピュータに対して送るように構成され得る。
【００１７】
いくつかの実施形態に係る１つの態様においては、サーバーコンピュータは、サーバーコンピュータからのアラート（例えばリマインダまたは勧告）を標示するデータの電子送信をトリガするように構成され得、薬剤容器の電気回路および／またはユーザコンピュータは、このデータを受信するように構成され得る。サーバーコンピュータは、少なくとも部分的に薬剤容器から受信したデータに基づいて、アラートをトリガするように構成され得る。サーバは、例えば、薬剤容器内の内容物の数量が閾値より低いこと（例えば薬剤容器の１つ以上のセンサから受信したデータを閾値と比較することによって決定される通り）；薬剤容器と結び付けられた患者が薬剤の一用量または補充を失念した確率が高いかまたは、１つ以上の将来の用量または補充を失念する確率が高いこと（例えば、少なくとも部分的に、１つ以上のドロワセンサ、カートリッジセンサおよび／またはキャップまたは容器センサなどの薬剤容器の１つ以上のセンサの１つ以上の検出および１つ以上のデータベース内に記憶されサーバーコンピュータがアクセスできる患者の投薬計画データに基づいて、サーバーコンピュータにより決定される通り）；および／または薬剤容器を含む薬局、他のエンティティまたは施設が、予想通りに薬剤を送出または補充しなかったまたはしなかった確率が高いこと（例えば、少なくとも部分的に、１つ以上のドロワセンサ、カートリッジセンサ、および／またはキャップまたは容器センサなどの容器の１つ以上のセンサの１つ以上の検出、および１つ以上のデータベース内に記憶されサーバーコンピュータがアクセスできる送出スケジュールデータに基づいてサーバーコンピュータにより決定される通り）をサーバーコンピュータが決定した時点で、薬剤容器および／または他のコンピュータデバイスに対するアラートをトリガすることができる。
【００１８】
いくつかの実施形態に係る一態様において、サーバーコンピュータの少なくとも１つの通信受信機は、本明細書中に記載の１つ以上の薬剤容器（例えば、１つ以上のカートリッジ、ドロワを含み、かつ／またはキャップおよび／または容器センサを有する薬剤容器）上の回路から第１の通信ネットワークを介してデータを受信するように構成され得る。このようなデータは、例えば、本明細書中に記載のセンサのうちの１つ以上のセンサの１つ以上の測定値、例えば１つ以上のドロワセンサ、カートリッジセンサおよび／またはキャップおよび／または容器センサの１つ以上のセンサ測定値に対応するデータ、センサデータに結び付けられたタイミングデータ、および／または例えば検出されたセンサデータに基づいて薬剤容器の１つ以上のプロセッサによって生成されるデータであり得る。少なくとも部分的にこのようなデータおよび／または他のデータ（例えばデータベース内でサーバーコンピュータにより記憶されたかまたは他の形でサーバーコンピュータがアクセスできる履歴データ）に基づいて、サーバーコンピュータ（例えば１つ以上のプロセッサおよびネットワークインタフェースを含む）は、少なくとも１つの基準が満たされているか否かを決定することができ、この決定に基づいて、患者、介護者および／または他のエンティティ（例えば薬局）に対する１つ以上のリマインダおよび／またはアラートをトリガすることができる。例えば、テキスト、オーディオ、イメージ、ビデオまたはそれらの任意の組合せを含み得るこのようなアラートは、薬剤容器自体および／または他のコンピュータデバイスに送信されてよい。
【００１９】
いくつかの実施形態において、サーバーコンピュータの少なくとも１つの通信受信機は、例えば患者が薬剤の一用量を失念したかまたは失念した確率が高いこと（例えば、薬剤容器が患者または介護者により所持されているかまたは患者または介護者による使用のために構成されている場合）、薬剤が、薬剤容器から取出されたまたは取出されなかったかまたは送出されたまたは送出されなかったこと（例えば、薬剤が薬局、他のエンティティまたは施設により所持されているかまたは薬局、他のエンティティまたは施設による使用のために構成されている場合）、および／または薬剤容器または薬剤容器の１つ以上のカートリッジが補充されなかったかまたは補充を必要としていること、を標示するデータを、通信ネットワーク上で薬剤容器から受信することができる。例えば、ドロワが移動させられる（例えば１つ以上のドロワセンサにより決定されるように少なくとも閾値距離だけ移動させられる）毎に、または他の任意の好適な時点または間隔で、薬剤容器は、１つ以上のドロワセンサおよび／または他のセンサ（例えばカートリッジセンサ）からのデータおよび／または他のデータをサーバーコンピュータに提供することができる。サーバーコンピュータは、そのデータを単独でまたは他のデータ（例えばタイミングデータおよび／または履歴データ）と組合せた形で、薬剤が容器から取出されたかまたは容器に追加された時点を標示するものとして解釈することができ、サーバーコンピュータは、少なくとも部分的にこのようなデータに基づいて、患者が一用量を失念した確率が高いこと、薬局または他のエンティティまたは施設が予想通りに薬剤を送出しなかったか否か、および／または薬剤容器または容器内のカートリッジが補充を必要としているかまたは補充されなかったか、を決定することができる。サーバーコンピュータは、この決定に基づいて、薬剤容器におよび／または１つ以上の他のコンピュータデバイスに対して１つ以上のアラートを送信することができる。
【００２０】
代替的にまたは付加的に、カートリッジが薬剤容器から取出される、および／または薬剤容器内に挿入される（例えば１つ以上のカートリッジセンサにより決定される通り）毎に、または他の好適な時点または間隔で、薬剤容器は、１つ以上のカートリッジセンサおよび／または他のセンサ（例えば１つ以上のドロワセンサ）からのデータ、および／または他のデータをサーバーコンピュータに提供することができる。サーバーコンピュータは、そのデータを単独でまたは他のデータ（例えばタイミングデータおよび／または履歴データ）と組合せた形で、薬剤が容器から取出されたかまたは容器に追加された時点を標示するものとして解釈することができ、サーバーコンピュータは、少なくとも部分的にこのようなデータに基づいて、患者が一用量を失念した確率が高いこと、薬局または他のエンティティまたは施設が予想通りに薬剤を送出しなかったか否か、および／または薬剤容器または容器内のカートリッジが補充を必要としているかまたは補充されなかったか、を決定することができる。サーバーコンピュータは、この決定に基づいて、１つ以上のアラートを薬剤容器におよび／または１つ以上の他のコンピュータデバイスに対して送信することができる。
【００２１】
以上で開示した実施形態に対し代替的にまたは付加的に、キャップが薬剤容器から取出される、および／または薬剤容器上に置かれる（例えば１つ以上のキャップセンサおよび／または容器センサにより決定される通り）毎に、または他の好適な時点または間隔で、薬剤容器は、１つ以上のセンサ（例えば１つ以上のカートリッジセンサおよび／または１つ以上のキャップおよび／または容器センサのキャップ）からのデータ、および／または他のデータをサーバーコンピュータに提供することができる。サーバーコンピュータは、そのデータを単独でまたは他のデータ（例えばタイミングデータおよび／または履歴データ）と組合せた形で、（例えばカートリッジが容器に挿入されたかまたは容器から取出された時点に基づいて）薬剤が容器から取出されたかまたは容器に追加された時点を標示するものとして解釈することができ、サーバーコンピュータは、少なくとも部分的にこのようなデータに基づいて、患者が一用量を失念した確率が高いこと、薬局または他のエンティティまたは施設が予想通りに薬剤を送出しなかったか否か、および／または薬剤容器または容器内のカートリッジが補充を必要としているかまたは補充されなかったか、を決定することができる。サーバーコンピュータは、この決定に基づいて、１つ以上のアラートを薬剤容器におよび／または１つ以上の他のコンピュータデバイスに対して送信することができる。
【００２２】
いくつかの実施形態において、サーバーコンピュータは、通信ネットワーク上で、例えば単独でまたは他のデータと組合わせた形で、１つ以上のカートリッジまたは容器の内部の予め設定された量の内容物が予め設定された時間内に引出されなかった、および／または予め設定された時間の後に引出されたこと；薬剤容器のカートリッジまたはキャビティが、予め設定された時間の後に補充されたこと；および／または薬剤容器の１つ以上のカートリッジが予め設定された時間内で補充されなかったおよび／または取出されなかったことを標示するデータを受信することができる。このようなデータは、例えば、薬剤容器（例えば薬剤容器の１つ以上のカートリッジセンサ、１つ以上のドロワセンサおよび／または１つ以上の容器および／またはキャップセンサ）からサーバーコンピュータにより受信された、本明細書中に記載の薬剤容器センサのうちの１つ以上のセンサの１つ以上の測定値（例えば検出事象）に対応するデータであり得る。少なくとも１つのデータベースを、少なくとも１つの通信受信機に対して通信可能な形で結合することができる。少なくとも１つのデータベースは、少なくとも薬剤容器から受信したデータおよび／または他のデータ（例えば患者のための投薬計画、薬局または他のエンティティまたは施設のための予想される送出スケジュール、および／または薬剤容器または薬剤容器内部に格納されたカートリッジについては予想される補充スケジュール）を記憶するように構成され得る。少なくとも１つのプロセッサを、少なくとも１つの通信受信機および少なくとも１つのデータベースのうちの少なくとも１つに対し通信可能な形で結合することができる。少なくとも１つのプロセッサは、データ受信時点でまたはデータ受信に続いて、少なくとも１つの基準が満たされたか否かを決定するようにプログラミングまたは他の形で構成または適応され得、少なくとも１つのプロセッサは、少なくとも１つの基準が満たされている場合アラート（例えばリマインダ）を生成する。少なくとも１つの通信送信機は、少なくとも１つのプロセッサに通信可能な形で結合され得る。少なくとも１つの通信送信機は、第２の通信ネットワークを介して、薬剤容器および／または１つ以上の他のコンピュータデバイスに対してアラートを送信するように構成され得る。
【００２３】
いくつかの変形形態において、以下のものの１つ以上を個別にまたは任意の組合せの形で実施することができる。サーバーコンピュータは、予め設定された時間内に薬剤容器からの通信をサーバーコンピュータが受信していないことに少なくとも部分的に基づいて、患者が投薬計画を順守しなかったこと、薬局または他のエンティティまたは施設が予想された薬剤送出スケジュールを順守しなかったこと、および／または薬剤容器または薬剤容器内部カートリッジが、予想されたスケジュールにしたがって補充されなかったこと、を決定するように構成される。例えば、サーバーコンピュータは、１つ以上のドロワセンサ、１つ以上のカートリッジセンサおよび／または１つ以上の容器および／または薬剤容器のキャップセンサが予め設定された時間を超える時間帯内に活動化されなかったことをサーバーコンピュータが識別したことに少なくとも部分的に基づいて、薬剤容器および／または別の１つ以上のコンピュータデバイスに対してアラート（例えばリマインダ）をトリガすることができる。予め設定された時間は、データベース内に記憶されサーバーコンピュータがアクセスできる、患者が一用量を服用する予想頻度を識別する患者のための投薬計画；薬剤の送出頻度を識別する薬局または他のエンティティまたは施設のための予想送出スケジュール；および／または薬剤容器または薬剤容器内部に格納されたカートリッジのための予想補充スケジュール、を標示するデータに少なくとも部分的に基づいて、サーバーコンピュータにより設定または識別され得る。サーバーコンピュータは、サーバーコンピュータが薬剤容器の１つ以上のセンサからさらなる１つ以上の通信を受信することなく予め設定された時間が経過したか否かを決定するために、このデータを、例えば薬剤容器の１つ以上のセンサからサーバーコンピュータが最後に通信を受信した時を標示するデータと比較することができる。少なくとも部分的にこの決定に基づいて（例えば唯一この決定のみに基づいて）、サーバーコンピュータは、薬剤容器および／または別の１つ以上のコンピュータデバイスに対して１つ以上のアラートをトリガすることができる。コンピュータデバイスは、デスクトップコンピュータ、ラップトップコンピュータ、タブレットコンピュータ、ファブレットコンピュータおよび携帯電話のうちの１つであり得る。一実施形態において、コンピュータデバイスは、薬剤容器を用いて患者により動作させられように構成され得る。別の実施形態において、コンピュータデバイスは、薬剤容器を使用して患者を処置する介護者（例えば病院、臨床医、医師、看護士、技師、臨床職員および／または任意の他の介護者）、患者に薬剤を提供する認可を受けた薬局、および患者のヘルスケアデータを得る認可を受けたヘルスケア会社のうちの少なくとも１つにより動作させられるように構成され得る。一実施形態において、第１の通信ネットワークは第２の通信ネットワーク（例えばインタネット）と同じかまたは実質的に同じであり得る。一変形実施形態において、第１の通信ネットワークは第２の通信ネットワークと異なり、第２の通信ネットワークとは別個であり得る。第１の通信ネットワークは、ローカルエリアネットワーク、広域ネットワーク、インタネット、イントラネット、Ｂｌｕｅｔｏｏｔｈネットワーク、赤外線ネットワーク、任意の他のネットワークおよびそれらの任意の組合せであり得る。第２の通信ネットワークは、ローカルエリアネットワーク、広域ネットワーク、インタネット、イントラネット、Ｂｌｕｅｔｏｏｔｈネットワーク、赤外線ネットワーク、任意の他のネットワークおよびそれらの任意の組合せであり得る。
【００２４】
一実施形態において、少なくとも１つの基準を満たすことは、ユーザのリスクレベルが閾値を超えているかまたは他の形で１つ以上の基準を満たすかまたは満たさないかをサーバーコンピュータが決定することであり得る。サーバーコンピュータの少なくとも１つのプログラマブルプロセッサは、データベース内に記憶された履歴データに少なくとも部分的に基づいて、リスクレベルを計算することができる。決定を行なうためにサーバーコンピュータによって解析される履歴データには、薬剤容器のキャップの開放および／または閉鎖に関するデータ（例えば薬剤容器の容器および／またはキャップセンサにより提供されるもの）；薬剤容器のドロワ内および／または外への摺動に関するデータ（例えば薬剤容器の１つ以上のドロワセンサにより提供されるもの）；薬剤容器（例えば薬剤容器のスロット）内への１つ以上のカートリッジの挿入および／または薬剤容器からの１つ以上のカートリッジの取出しに関するデータ（例えば薬剤容器の１つ以上のカートリッジセンサにより提供されるもの）；例えば同じまたは異なる投薬計画に対する患者の過去の順守に少なくとも部分的に基づく投薬計画に対する患者の順守の尤度を特徴付ける順守スコア（例えば、患者が投薬計画のとおりに薬剤を消費すると仮定されていた日数に対する患者が薬剤を消費したまたは消費した確率が高い日数の分率または百分率などの、投薬計画に対する患者の過去の順守を反映する計算された値またはスコア。ここでいくつかの変形形態では、この値およびスコアを計算するサーバーコンピュータは、患者が薬剤を消費すると仮定されていなかった投薬計画の日数をスコアの計算から特定的に除外するかまたは代替的にはスコアの計算において異なる形で処理することができ、かつここで、サーバは、計算された値またはスコアを閾値または閾値スコアと比較して、患者が非順守のためのハイリスクであるか否かを識別して、１つ以上のアラートを直接トリガするかまたは、１つ以上の追加の基準と合わせてサーバーコンピュータにより考慮して１つ以上のアラートをトリガすべきか否かを決定することができる）；薬剤容器からの薬剤の引出しパターン；このような薬剤引出しパターンの複雑性（例えばユーザによる薬剤の引出しに関する実施のデータとサーバーコンピュータがアクセスできるデータベース内に記憶された予想された患者または他のエンティティの予想計画との比較を行うサーバーコンピュータによって決定される複雑性）；薬剤容器または薬剤容器内部のカートリッジの補充パターン；薬剤容器または薬剤容器内部のカートリッジのこのような補充パターンの不正確性（例えば１つ以上の補充または１つ以上の補充を得ることの失敗に関する実際のデータと、サーバーコンピュータがアクセスできるデータベース内に記憶された予想補充スケジュールとを比較することによってサーバーコンピュータにより決定される不正確性）；薬剤容器内の薬剤のタイプ；薬剤を消費するための投薬量要件；薬剤容器の回路と少なくとも１つの通信受信機との間の１つ以上の先行通信のタイミング；薬剤容器の回路と少なくとも１つの通信受信機との間で、１つ以上の先行通信中に交換されたデータ；および１つ以上の先行通信に関して指摘された１つ以上のエラー、のうちの少なくとも１つが含まれ得る。
【００２５】
いくつかの変形形態において、サーバーコンピュータは、薬剤用量が失念されたことの決定または薬剤が（例えば薬局によって）予想通りに送出されなかったことの決定に基づいて（例えばこの決定のみに基づいて）、アラートをトリガすることができる。別の実施形態において、サーバーコンピュータは、薬剤容器（例えばボトル）が予想されたスケジュールにしたがって補充されなかったことの決定に基づいて（例えばこの決定のみに基づいて）アラートをトリガすることができる。別の実施形態においては、別の実施形態では、サーバーコンピュータは、追加のケアが要求されていることを標示するメッセージを薬剤容器と結び付けられたユーザ（例えば患者、介護者または薬剤師）から受信したことに基づいて（例えばこの受信のみに基づいて）アラートをトリガすることができる。別の実施形態では、サーバーコンピュータは、薬剤容器と結び付けられたユーザ（例えば患者、介護者または薬剤師）から他の任意のメッセージ（例えばその内容の如何に関わらずあらゆるメッセージ）を受信したことに基づいて（例えばこの受信のみに基づいて）アラートをトリガすることができる。サーバーコンピュータは、異なる状況下で薬剤容器および／または１つ以上の他のコンピュータに対して、異なる特殊アラートを提供することができる。
【００２６】
いくつかの変形形態において、サーバーコンピュータは、薬剤用量が失念されたことの決定および１つ以上の追加データの評価の両方に少なくとも部分的に基づいて、アラートをトリガすることができる。一実施形態において、追加の基準は、先の解析からの１つ以上のデータ点および／またはサーバーコンピュータにより記憶されたデータ（例えば、患者についての全体的順守スコア、例えば薬剤容器の１つ以上のセンサからのセンサデータおよび／または患者のための投薬計画によって標示される複雑な投薬量パターン；例えば薬剤容器の１つ以上のセンサからのセンサデータおよび／または患者のための投薬計画によって標示される不正確な服用または補充パターン；薬剤情報；システムに対する先のメッセージング；および／または他の要因）に少なくとも部分的に基づいてサーバーコンピュータによって決定されるように、ボトルのユーザ（例えば患者）がハイリスクであることのサーバーコンピュータによる決定、であり得る。別の実施形態において、追加の基準は、１つ以上の最近の用量も同様に失念されていたことのサーバーコンピュータによる決定（例えば、薬剤容器から受信した先行センサデータおよび／または薬剤容器から受信した先行センサデータの欠如によって標示されるような、少なくとも１つの他の先行する予め設定された時間内での薬剤容器または薬剤容器のカートリッジに対するアクセスの欠如を標示するデータベース内に記憶されたデータ；および／または薬剤容器から受信した先行センサデータにより標示される少なくとも１つの他の先行する予め設定された時間内の薬剤容器または薬剤容器内のカートリッジからの予め設定された量または数量の内容物の引出しの欠如を標示するデータベース内に記憶されたデータ、に少なくとも部分的に基づいた、１つ以上の最近の用量が失念されたことのサーバーコンピュータによる決定）であり得る。別の実施形態においては、追加の基準は、ユーザまたはエンティティが計画された投薬および／または補充サイクルを遅延して開始または再開したことのサーバーコンピュータによる決定（例えば、薬剤容器から受信したセンサデータにより標示されるような目下の時間の経過後の薬剤容器または薬剤容器のカートリッジへのアクセスを標示するデータベース内に記憶されたデータ；および／または薬剤容器から受信したセンサデータにより標示されるような目下の時間の経過後の薬剤容器または薬剤容器のカートリッジからの予め設定された量または数量の内容物の引出しを標示するデータベース内に記憶されたデータ、に少なくとも部分的に基づいた、ユーザまたはエンティティが遅延したことのサーバーコンピュータによる決定）であり得る。さまざまな実施形態において、サーバーコンピュータは、一薬剤用量が失念されたことおよび少なくとも１つの追加の基準が満たされていることの両方をサーバーコンピュータが決定した場合にのみ、薬剤容器または他のコンピュータデバイスに対してアラートをトリガする。サーバーコンピュータは、異なる状況の下で、薬剤容器および／または１つ以上の他のコンピュータに対して異なる特殊アラートを提供することができる。
【００２７】
本明細書中に記載のアラートは、オーディオ、ビジュアル（例えばテキスト、イメージおよび／またはビデオ）またはその両方であり得るアラームを活動化させるデータであり得る。さまざまな実施形態において、アラートは、テキストメッセージ、ボイスメッセージ、ビデオメッセージ、ソーシャルメディアメッセージ、Ｅメール、ウェブポップアップ、ページャメッセージ、他の任意のメッセージおよびそれらの任意の組合せ、のうちの１つ以上であり得る。アラートは、いくつかの実施形態においては、リマインダであり得る。アラートは薬剤容器および／または１つ以上の他のコンピュータデバイスに提供され得る。
【００２８】
本明細書中に記載の主題の１つ以上の変形形態の詳細は、添付図面および以下の説明の中で明記されている。本明細書中に記載の主題の他の特徴および利点は、説明、図面およびフレームから明らかになるものである。
【図面の簡単な説明】
【００２９】
【図１】現在の主題のいくつかの実施形態に係るスマート薬剤容器のいくつかの実施形態を例示する。
【図２】現在の主題のいくつかの実施形態に係るスマート薬剤容器のいくつかの実施形態を例示する。
【図３】現在の主題のいくつかの実施形態に係るスマート薬剤容器のいくつかの実施形態を例示する。
【図４】現在の主題のいくつかの実施形態に係るスマート薬剤容器のいくつかの実施形態を例示する。
【図５】現在の主題のいくつかの実施形態に係るスマート薬剤容器のいくつかの実施形態を例示する。
【図６Ａ−Ｂ】現在の主題のいくつかの実施形態に係るスマート薬剤容器のいくつかの実施形態を例示する。
【図６Ｃ】患者、介護者、薬局、他の任意の個人またはエンティティ、および／またはそれらの任意の組合せに向けたマインダおよび／またはアラートを生成する目的で薬剤容器上の回路と通信できるサーバーコンピュータを例示する。
【図７】現在の主題のいくつかの実施形態に係る薬剤容器内部の取出し可能なカートリッジのいくつかの実施形態を例示する。
【図８】現在の主題のいくつかの実施形態に係る薬剤容器内部の取出し可能なカートリッジのいくつかの実施形態を例示する。
【図９】現在の主題のいくつかの実施形態に係る薬剤容器内部の取出し可能なカートリッジのいくつかの実施形態を例示する。
【図１０】現在の主題のいくつかの実施形態に係る薬剤容器内部の取出し可能なカートリッジのいくつかの実施形態を例示する。
【図１１】現在の主題のいくつかの実施形態に係る薬剤容器内部の取出し可能なカートリッジのいくつかの実施形態を例示する。
【図１２】現在の主題のいくつかの実施形態に係る薬剤容器内部の取出し可能なカートリッジのいくつかの実施形態を例示する。
【図１３】現在の主題のいくつかの実施形態に係る薬剤容器内部の取出し可能なカートリッジのいくつかの実施形態を例示する。
【図１４】現在の主題のいくつかの実施形態に係る薬剤容器内部の取出し可能なカートリッジのいくつかの実施形態を例示する。
【図１５】現在の主題のいくつかの実施形態に係る薬剤容器内部の取出し可能なカートリッジのいくつかの実施形態を例示する。
【図１６】現在の主題のいくつかの実施形態に係る薬剤容器のスマートキャップのいくつかの実施形態を例示する。
【図１７】現在の主題のいくつかの実施形態に係る薬剤容器のスマートキャップのいくつかの実施形態を例示する。
【図１８】患者、介護者、薬局、他の任意の個人またはエンティティ、および／またはそれらの任意の組合せ向けのリマインダおよび／またはアラートを生成することを目的として薬剤容器上の回路と通信できるサーバーコンピュータを例示する。
【００３０】
さまざまな図面中の同様の参照番号は同様の要素を標示している。
【発明を実施するための形態】
【００３１】
図１Ａ、１Ｂ、２Ａ、２Ｂ、３、４Ａ、４Ｂ、５、６Ａおよび６Ｂは、現在の主題のいくつかの実施形態に係るスマート薬剤容器のいくつかの実施形態を例示する。
【００３２】
図１Ａは、薬剤容器５ａの第１の実施形態を例示する。薬剤容器５ａは、多数（例えば４つ）のカートリッジ１０ａ、２０ａ、３０ａおよび４０ａ、ドロワ５０ａおよびフレーム６０ａを含むことができる。４つのカートリッジ１０ａ、２０ａ、３０ａおよび４０ａは、取出し可能な形で、また代替的には恒久的に、ドロワ５０ａ内に挿入するかまたはドロワ５０ａから外に持上げる（例えば完全にまたは部分的に）ことができ、このドロワ５０ａは、フレーム６０ａの内部を摺動することができる。薬剤容器５ａは、ドロワ５０ａがフレーム６０ａ内またはその外に摺動させられている時点を決定することができる。いくつかの実施形態において、薬剤容器５ａは、カートリッジ１０ａ、２０ａ、３０ａおよび４０ａのいずれかが取出されているおよび／または挿入されているか否かを決定することができる。フレーム６０ａは、内側にガイドおよびレールを含むことができ、これらのガイドおよびレールはドロワ５０ａを誘導して、ドロワ５０ａの直線または線形運動を可能にすることができる。いくつかの実施形態において、カートリッジ１０ａ、２０ａ、３０ａ、および４０ａの各々は、ボトル（例えば丸薬瓶）、バイアル瓶、液体薬剤容器、管、小袋、箱、分包、ブリスタパック、スプレー容器および／または吸入具であるかまたはそれらを含むことができる。いくつかの実施形態において、カートリッジ１０ａ、２０ａ、３０ａおよび４０ａの各々は、１つ以上のシリンジであるか、それを含むことができる。いくつかの実施形態において、カートリッジ１０ａ、２０ａ、３０ａおよび４０ａの各々は、概して平行六面体形状（例えば平行、またはほぼ平行な側面）を有し上述の１つ以上の薬剤容器および／またはシリンジを格納する厚紙および／またはプラスチック製の箱であり得る。
【００３３】
さまざまな例示的実施形態において、４つのカートリッジ１０ａ、２０ａ、３０ａおよび４０ａの各々は、厚紙、プラスチック、ガラスおよび金属のうちの１つ以上の材料で製造され得る。ドロワ５０ａは、プラスチックおよび金属のうちの１つ以上の材料で製造され得る。プラスチックおよび／または金属でドロワを製造すると、有利にも、ドロワ５０ａを開閉する間の摩擦が最小限に抑えられ、こうして同様にドロワ５０ａの耐久性を最大限にすることもできる。フレーム６０ａは、プラスチックおよび金属のうちの１つ以上の材料（例えばドロワ５０ａのために使用したものと同じまたは異なる材料）で製造することができる。
【００３４】
さまざまな例示的実施形態において、薬剤容器５ａは、以下の寸法または寸法範囲を有することができる。フレーム６０ａは、概して平行六面体の本体（例えば平行かまたはほぼ平行な側面）を有することができ、この本体は丸みの付いた隅を有し得る。フレーム６０ａは、１つ以上のカートリッジ１０ａ、２０ａ、３０ａおよび４０ａを格納するドロワ５０ａを受入れるため１つの概して開放した面（例えば開放した、またはほぼ開放した面）を有することができる。いくつかの実施形態において、フレーム６０ａの残りの面は、完全にまたは実質的に閉鎖され得る。いくつかの実施形態において、フレーム６０ａは、フレーム６０ａ内および外へのドロワ５０ａの運動方向に直交するかまたは概して直交する（例えば９０度、またはほぼ９０度、例えば８０度〜１００度の間）方向の幅が約８〜１０インチ、長さ（奥行）が約１０〜１４インチおよび高さが約２〜４インチであり得る。
【００３５】
いくつかの実施形態において、ドロワ５０ａは、フレーム６０ａの開放面を丁度通って、フレーム６０ａの開放キャビティの内部に存在するように構成された形状を有することができる。上述の通り、ドロワ５０ａは、それぞれフレーム６０ａの１つ以上の陥凹またはレールへの噛合連結のため、１つ以上のレールまたは陥凹を（例えばドロワ５０ａの底面および／または側面表面上に）含むことができる。ドロワ５０ａは、概して（例えば完全にまたは実質的に完全に）開放した上面を、１つ以上のカートリッジ１０ａ、２０ａ、３０ａおよび４０ａを受入れるために有することができる。ドロワ５０ａは、部分的に開放した前面を有することができる。例えば図１Ａに示されているように、これは、カートリッジ１０ａ、２０ａ、３０ａおよび４０ａの保持を可能にし、これらのカートリッジが非意図的に薬剤容器５ａから飛び出すのを防ぐドロワ唇状部または尾根部を含むことができる。これは同時に、観察者が薬剤容器５ａ内部の１つ以上のカートリッジ１０ａ、２０ａ、３０ａおよび４０ａの存在または不在を視覚的に識別できるようにし、任意には、例えばカートリッジ１０ａ、２０ａ、３０ａおよび４０ａ上に印刷されたまたは他の形で示された情報を読めるようにすることもできる。いくつかの実施形態において、ドロワ５０ａは、フレーム６０ａの中および外へのドロワ５０ａの運動方向に直交するかまたは概して直交する（例えば９０度で、またはほぼ９０度、例えば８０度〜１００度の間）方向の幅が約８〜１０インチ、長さ（奥行）が約１０〜１４インチおよび高さが約２〜４インチであり得る。例えば、いくつかの実施形態において、フレーム６０ａ内部にドロワ５０ａをぴったりと摩擦嵌めできるように装置全体が不必要にスペースをとるのを防ぐため、ドロワ５０ａの長さ、幅および高さをフレーム６０ａのものよりわずかだけ小さくなるように選択することができる。
【００３６】
いくつかの実施形態において、カートリッジ１０ａ、２０ａ、３０ａおよび４０ａの各々は、ドロワ５０ａの開放部域内部に嵌合するように構成された形状を有することができる。換言すると、ドロワ５０ａは、その開放部域がカートリッジ１０ａ、２０ａ、３０ａおよび４０ａを受入れるため（例えば摩擦嵌めを確立するための噛合収容）にサイズ決定され構成されるような形で構成され得る。いくつかの実施形態において、多数のカートリッジがドロワ５０ａの内部に挿入され、ドロワ５０ａがフレーム６０ａの内部に挿入された場合、カートリッジは、ドロワ５０ａの異なるカートリッジを分離する１つ以上の壁または尾根部を除いて、フレーム６０ａ内部内の開放空間の全てまたは実質的に全てを集合的に占有することができる。このような物理的セパレータは、例えば図３に示されている。いくつかの実施形態において、カートリッジ１０ａ、２０ａ、３０ａおよび４０ａの各々は、幅約１〜４インチ（例えば１〜３インチ）、長さ（奥行）約６〜１４インチ（例えば６〜１０インチ）以下、および高さ約１〜４インチ（例えば１〜３インチ）以下であり得る。
【００３７】
図１Ｂは、現在の主題のいくつかの実施形態に係る薬剤容器６５ａの第２の実施形態を例示する。薬剤容器６５ａは、多数（例えば４つ）のカートリッジ１０ａ、２０ａ、３０ａおよび４０ａおよびフレーム７０ａを含むことができる。４つのカートリッジ１０ａ、２０ａ、３０ａおよび４０ａは、取出し可能な形で、また代替的には恒久的に、フレーム７０ａ内に挿入され得る。４つのカートリッジ１０ａ、２０ａ、３０ａおよび４０ａの各々は、フレーム７０ａ内および外へと個別に摺動され得る。薬剤容器６５ａは、カートリッジ１０ａ、２０ａ、３０ａおよび４０ａがフレーム７０ａ内または外へと摺動させられている時点を決定することができる。フレーム７０ａは任意には、ガイドおよびレールを内側に含むことができ、これらは、各カートリッジ１０ａ、２０ａ、３０ａおよび４０ａを対応して直線および線形運動で誘導する。例えば、各カートリッジは、それぞれフレーム７０ａの１つ以上の陥凹またはレールへの噛合連結するため、１つ以上のレールまたは陥凹を（例えばカートリッジの底面および／または側面表面上に）含むことができる。他の実施形態では、カートリッジではなくフレーム７０ａのみがガイドまたはレールを含むことができる。カートリッジ１０ａ、２０ａ、３０ａおよび４０ａの各々は、対応するスロットから外にそのカートリッジを個別に摺動させることにより取出すことができる。容器６５ａの前面は、対応する１つ以上のカートリッジがスロットから飛び出すのを防ぐためスロットの前方の概して開放した面の１つ以上（例えば全て）において、１つ以上の尾根部またはタブを含めることができる。カートリッジは、スロット内へと摺動し戻す前にタブまたは尾根部の上に持ち上げられ、その後、カートリッジの後端部がタブまたは尾根部をひとたび通過した時点で、タブまたは尾根部によってスロット内に保持され得る。
【００３８】
さまざまな例示的実施形態において、薬剤容器６５ａは、以下の形状因子および寸法または寸法範囲を有することができる。フレーム７０ａは、丸みの付いた隅を有し得る平行六面体または概して平行六面体の本体（例えば平行またはほぼ平行な側面を伴う本体）を有することができる。フレーム７０ａは、１つ以上のカートリッジ１０ａ、２０ａ、３０ａおよび４０ａを受入れるための複数（例えば４つ）の開放領域またはキャビティを画定する面を有することができる。いくつかの実施形態において、フレーム７０ａの残りの面は、完全にまたは実質的に閉鎖され得る。いくつかの実施形態において、フレーム７０ａはフレーム７０ａ内および外へのカートリッジ１０ａ、２０ａ、３０ａおよび４０ａの運動方向に直交するかまたは概して直交する（例えば９０度、またはほぼ９０度、例えば８０度〜１００度の間）方向の幅が約５〜８インチ、長さが約１０〜１４インチおよび高さが約５〜８インチであり得る。
【００３９】
いくつかの実施形態において、カートリッジ１０ａ、２０ａ、３０ａおよび４０ａの各々は、フレーム７０ａの開放部域内部に嵌合するように構成された形状を有することができる。換言すると、フレーム７０ａは、それが多数の開放部域またはキャビティを有し、このような部域がカートリッジ１０ａ、２０ａ、３０ａおよび４０ａを受入れるため（例えば摩擦嵌めを確立するための噛合収容）にサイズ決定され構成されるような形で構成され得る。いくつかの実施形態において、多数のカートリッジがフレーム７０ａの内部に挿入された場合、カートリッジはフレーム７０ａの内部内の開放空間の全てまたは実質的に全てを集合的に占有することができる。いくつかの実施形態において、カートリッジ１０ａ、２０ａ、３０ａおよび４０ａの各々は、フレーム７０ａ内および外へのカートリッジの運動方向に直交するかまたは概して直交する（例えば９０度、またはほぼ９０度、例えば８０度〜１００度の間）方向の幅が約１〜４インチ（例えば１〜３インチ）、長さが約６〜１４インチ（例えば６〜１０インチ）および高さが約１〜４インチ（例えば１〜３インチ）であり得る。
【００４０】
薬剤容器５ａおよび５ｂは、これらの薬剤容器の底面を支持し得る表面（例えば棚）の上に平らに置かれるように構成され得る。薬剤容器５ａについて、ドロワ５０ａの底面表面に隣接するフレーム６０ａの表面は、棚上に載るように構成され得る。このような構成は、薬剤容器５ａおよび６５ａに安定性を提供することができる。
【００４１】
図２Ａは、内部でドロワ５０ａがフレーム８０ａの中および外へと摺動し得、（１）薬剤容器７５ａを（例えば冷蔵庫内の棚から）吊るすことができるようにし、かつ／または（２）薬剤容器７５ａに別の薬剤容器７５ａを積重ねることができるようにするフック９０ａを含む、薬剤容器７５ａを例示している。２つの薬剤容器７５ａは、保管スペースを最小限に抑えるため、薬剤容器７５ａを物理的に保管する目的で積重ねることができる。このような積重ねには、いくつかの実施形態において、１つの薬剤容器７５ａの上面または底面にあるフック９０ａを、別の薬剤容器（例えば別の容器７５ａ）の底面または上面の対応する特徴部（例えばループまたは陥凹）に対し噛合連結することが関与し得る。容器７５ａは、他の全ての点で、容器５ａ（図１Ａ）と同じかまたは類似したものであり得る。
【００４２】
図２Ｂは、（１）薬剤容器９５ａを（例えば冷蔵庫内の棚から）吊るすことができるようにしかつ／または（２）薬剤容器９５ａに別の薬剤容器９５ａを積重ねることができるようにするフック１１０ａを含み、内部でカートリッジ１０ａ、２０ａ、３０ａおよび４０ａがフレーム１００ａ内および外へと個別に摺動できる薬剤容器９５ａを例示している。２つの薬剤容器９５ａは、保管スペースを最小限に抑えるため、薬剤容器９５ａを物理的に保管する目的で積重ねることができる。このような積重ねには、いくつかの実施形態において、１つの薬剤容器９５ａの上面または底面にあるフック１１０ａを、別の薬剤容器（例えば別の容器９５ａ）の底面または上面内の対応する特徴部（例えばループまたは陥凹）に対し噛合連結することが関与し得る。容器９５ａは、他の全ての点で、容器６５ａ（図１Ｂ）と同じかまたは類似したものであり得る。
【００４３】
図３は、図１Ａの薬剤容器５ａのさまざまな構成要素を示す分解組立図を例示する。薬剤容器５ａは、上述の構成要素に加えて、磁石１２０ａ、センサ１４０ａ（例えば磁石１２０ａが移動したか否かを検出するためのリードスイッチなどのスイッチ）などのさまざまな構成要素が包埋された無線回路板、無線アンテナ１５０ａ、電池１６０ａ、バックプレート１３０ａおよび４本の締結具１７０ａを含むことができる。
【００４４】
磁石１２０ａは、ドロワ５０ａに取付けられるかまたはドロワ５０ａに隣接して設置され得る。磁石１２０ａがフレーム６０ａ内部を移動可能な形で並進運動する場合、センサ１４０ａは、磁石１２が移動したか否かを検出することができ、これにより、ドロワ５０ａがフレーム６０ａの中へ摺動したかまたはフレーム６０ａから外に摺動したかが標示される。無線回路板は、いくつかの実施形態において、センサ１４０ａに加えてマイクロプロセッサ、無線モジュール、無線周波数（ＲＥ）回路、電力回路、および１つ以上の集積センサなどの他の電子的構成要素を含むことができる。このマイクロプロセッサは、無線アンテナ１５０ａを介しておよび通信ネットワークを介してサーバーコンピュータに対して、ドロワ５０ａがフレーム６０ａの中に摺動したかまたは外へ摺動したかを標示するデータおよび／または他のデータ（図５、６Ａおよび６Ｂに関連して以下で説明される１つ以上のカートリッジセンサなどの、本発明により説明されている他のセンサが生成した他のデータ）を送信することができる。通信ネットワークは、ローカルエリアネットワーク、広域ネットワーク、インタネット、イントラネット、Ｂｌｕｅｔｏｏｔｈネットワーク、赤外線ネットワーク、他の任意のネットワーク、およびそれらの任意の組合せのうちの１つ以上であり得る。電池１６０ａは、薬剤容器５ａ全体に対して電力を供給できる。電池は、フレーム６０ａ内部に一体化して設置され得る。バックプレート１３０ａは、４本の締結具１７０ａを用いて電子的構成要素全てをしっかり固定することができる。デバイスがセンサデータを含めた情報を、サーバに対し通信ネットワークを介して通信することができるようにするためのシステムおよび方法は、参照により全体が本明細書に組込まれている米国特許第８，７５４，７６９号中に記載されている。
【００４５】
磁石１２０ａは、ネオジムなどの希土類材料製であり得る。ネオジムが記載されているものの、変形実施形態において、磁石１２０は、他の希土類材料、例えばサマリウムコバルト、ネオジム、希土類元素の任意の合金（例えばランタニド系列内の元素にスカンジウムおよびイットリウムを加えたもの）、他の希土類材料、およびそれらの任意の組合せの１つ以上で製造され得る。磁石１２０ａのために希土類材料を使用することで、磁石は強永久磁石になり、こうして、磁石に強い磁場を持たせそれを長期間（例えば多数年）維持させることができ、こうして有利にも磁石は少なくともこの期間中独自の電源を必要としない。
【００４６】
図４Ａは、ドロワ５０ａが拡張した（完全にまたは部分的に拡張した）構成にあるときの薬剤容器５ａの電子的構成要素を例示する。電子的構成要素には、磁石１２０ａ、バックプレート１３０ａなどのさまざまな構成要素が包埋された、またはこれらに固定された、またはこれらに隣接する無線回路板、および、磁石１２０ａが移動したか否かを決定することによってデバイス５０ａの動きを検出するためのセンサ１４０ａが含まれ得る。拡張構成においては、磁石１２０ａとバックプレート１３０ａの間の距離１８０ａは、センサ１４０ａがドロワ５０ａの動きの状態の変化を検出し記録する、例えば可能な最大距離または代替的には可能な最大距離未満であり得る距離である。いくつかの実施形態において、センサ１４０ａは、磁石１２０ａが距離１８０ａ未満の距離しか移動しないかぎり、ドロワ５０ａの動きを記録しない可能性がある。いくつかの実施形態において、距離１８０ａは、例えば０．２５インチ、または０．１２５インチ〜５インチの範囲内であり得る。変形実施形態において、センサ１４０ａは、磁石１２０ａが距離１８０ａより短かいものであり得る別の予め設定された磁石１２０ａからの距離内にあるかぎり、磁石１２０ａが移動したか否かを検出するように構成され得る。別の変形実施形態において、この予め設定された距離は、距離１８０ａ以上であり得る。
【００４７】
図４Ｂは、ドロワ５０ａが完全に押込まれた構成にある場合の薬剤容器５ａのいくつかの電子的構成要素を例示する。ドロワは、図４Ａの拡張構成を達成するために拡張され得る。
【００４８】
図５は、薬剤容器５ａ内部のセンサ１９０ａの別の実施形態を例示する。センサ１９０ａは、薬剤容器５ａ内部のカートリッジの存在または不在を検出するカートリッジセンサであり得る。いくつかの実施形態において、薬剤容器５ａは、各カートリッジ１０ａ、２０ａ、３０ａおよび４０ａについて別個のセンサ１９０ａを含むことができ、その場合、各センサ１９０ａは各々の対応するカートリッジの存在または不在を検出することができる。いくつかの実施形態において、センサ１９０ａが薬剤容器５ａ内のカートリッジの存在または不在を検出することと代替的にまたは付加的に、センサ１９０ａは、カートリッジ１０ａ、２０ａ、３０ａおよび４０ａ内部の内容物の量（例えば重量、丸薬の数または液体薬剤の数量）を検出することができる。図５中に示された実施形態において、センサ１９０ａは、交互配置されすだれ状になったパターンで複数（例えば２つ以上）の電極（例えば金属電極）を含むことができる。センサ１９０ａの電極は、概して平担（例えば平担またはほぼ平担）であり得、概して２次元平面内に格納される。電極は、対応するカートリッジが内部に収容されるべき区画全体または実質的にその全体に跨ることができる。他の実施形態では、電極は、対応するカートリッジが収容されるべき区画の一部分（例えばおおよそ４分の３、おおよそ半分またはそれ以下）のみに跨ることができる。いくつかの実施形態において、センサ１９０ａと同じかまたは類似している１つ以上のセンサが、薬剤容器６５ａのスロットの１つ以上（例えば全て）の中（図１Ｂ）、例えば、スロットの底面（床）部分上またはこの部分の内部に含められて、１つ以上のカートリッジ１０ａ、２０ａ、３０ａおよび４０ａが存在するか否かおよび／またはカートリッジ１０ａ、２０ａ、３０ａおよび４０ａのうちの１つ以上の中の薬剤の内容物の量を決定することができる。
【００４９】
さまざまな実施形態において、各センサ１９０ａは、１つ以上のカートリッジ１０ａ、２０ａ、３０ａおよび４０ａがドロワ５０ａの内部に存在するか否か、および／または薬剤容器５ａまたは任意のカートリッジ１０ａ、２０ａ、３０ａおよび４０ａの内容物（例えば重量、丸薬数、または液体薬剤の数量）を、タッチ、静電容量、重量、光、視覚キューまたは他の任意の方法で決定することができる。例えば、各センサ１９０ａは、静電容量センサまたはタッチセンサであり得る。センサ１９０ａは、ドロワ５０ａ上に包埋されるかまたは他の形で貼付され得る。各センサ１９０ａは、無線回路板に（有線接続を介して）接続され得、あるいは他の形で無線回路板と（例えば無線接続を介して）通信状態にあり得、カートリッジ１０ａ、２０ａ、３０ａおよび／または４０ａの存在、不在および／または内容物についてのデータを無線回路板に提供する。いくつかの実施形態において、１つ以上のセンサ１９０ａと回路板との間の接続は、可撓性ケーブル（例えばリボンワイヤ）を通したものであってよい。いくつかの実施形態において、１つ以上のセンサ１９０ａと回路板との間の接続は、センサ１９０ａに電気接続されドロワ５０ａの外部部分上に部分的に曝露されかつドロワ５０ａがフレーム６０ａ内に挿入されたとき回路板に電気接続されフレーム６０ａの一部分上に曝露された対応する金属接点と電気的に接触する金属接点（例えばレールまたはストリップ）を通したものであってよい。
【００５０】
一例において、各センサ１９０ａは、単一のカートリッジ１０ａ、２０ａ、３０ａまたは４０ａのための対応するスロット内のこのカートリッジの存在および／または不在を検出するように構成され得る。２値静電容量タッチセンサであり得る。この例では、カートリッジ１０ａ、２０ａ、３０ａまたは４０ａとセンサ１９０ａとの間の接触は、センサ１９０ａの静電容量の変化を生み出し、センサ１９０ａは、そのカートリッジが薬剤容器５ａ内に設置されたかまたはそこから取出されたことの２値検出の形にこれを翻訳することができる。センサ１９０ａを含むかまたは他の形でこのセンサと通信する無線回路板はさらに、静電容量を測定し標示しかついくつかの実施形態においてはそれを閾値と比較して、測定された静電容量がカートリッジの存在または不在を標示するものであるか否かを決定することのできる静電容量−デジタル変換器集積回路を含むことができる。薬剤容器５ａは、カートリッジ１０ａ、２０ａ、３０ａおよび４０ａのアレイの設置または取出しを検出し得るセンサ１９０ａのアレイを含むことができる。
【００５１】
無線回路板は、通信ネットワークを介して、１つ以上のセンサによる検出および／または薬剤容器の回路板の１つ以上のプロセッサによるその処理の詳細を遠隔サーバーコンピュータと通信することができ、この遠隔サーバーコンピュータは、例えば、これらの詳細を用いて、例えば図６Ｃなどに示されているように患者、介護者および／または他の当事者（例えば薬局）のために１つ以上のリマインダおよびアラートを生成することができる。通信ネットワークは、ローカルエリアネットワーク、広域ネットワーク、インタネット、イントラネット、Ｂｌｕｅｔｏｏｔｈネットワーク、赤外線ネットワーク、任意の他のネットワークおよびそれらの任意の組合せのうちの１つ以上であり得る。さまざまな実施形態において、無線回路板は薬剤容器のフレーム（例えばフレーム６０ａまたは７０ａ）に貼付されるかまたはこのフレームにより収納され得る。さまざまな実施形態において、無線回路板は、ドロワ（例えばドロワ５０ａ）に貼付されるかまたはこのドロワにより収納され得る。
【００５２】
図６Ａは、各々カートリッジ１０ａ、２０ａ、３０ａまたは４０ａに対応するスロット内のこのカートリッジの存在または不在を検出するように構成された複数の赤外線距離センサ２００ａを例示する。
【００５３】
図６Ｂは、センサ２００ａの構成要素を例示する。センサ２００ａは、フレーム６０ａ上に包埋されるか、フレーム６０ａに貼付されるか、またはフレーム６０ａと少なくとも部分的に統合されるかまたはこのフレームにより収納され得る。センサ２００ａは、送信機２１０ａおよび受信機２２０ａを含むことができる。センサ２００ａは、送信機２１０ａと受信機２２０ａの間の干渉を検出できる赤外線センサであり得る。このような検出は、対応するカートリッジ１０ａ、２０ａ、３０ａまたは４０ａが閾値距離２３０ａ内で設置されているかまたは取出されているかを標示し得る。閾値距離２３０ａは、カートリッジ１０ａ、２０ａ、３０ａまたは４０ａの存在を検出できる距離範囲を表わすことができる。すなわち、カートリッジ１０ａ、２０ａ、３０ａまたは４０ａは、それが閾値距離２３０ａ内にある場合に検出される。センサは、薬剤容器５ａの回路板に対し検出を特徴付けるデータを送信するかまたは電子的に提供することができる。センサは、有線または無線接続を介して回路板と通信できる。カートリッジ１０ａ、２０ａ、３０ａまたは４０ａのアレイを検出するために、センサ２００ａのアレイを使用することができる。
【００５４】
無線回路板は、通信ネットワークを介して、１つ以上のセンサ２００ａによる検出および／または薬剤容器の回路板の１つ以上のプロセッサによるその処理の詳細をサーバーコンピュータと通信することができ、このサーバーコンピュータは、これらの詳細を用いて、例えば図６Ｃなどに示されているように患者、介護者および／または他の当業者（例えば薬局）のために１つ以上のリマインダおよびアラートを生成することができる。サーバーコンピュータは無線回路板から遠隔のものであり得、例えば同じ建物内部の異なる室内、異なる建物内、異なる都市、異なる州、異なる国内、または任意の遠隔距離にあり得る。通信ネットワークは、ローカルエリアネットワーク、広域ネットワーク、インタネット、イントラネット、Ｂｌｕｅｔｏｏｔｈネットワーク、赤外線ネットワーク、任意の他のネットワークおよびそれらの任意の組合せのうちの１つ以上であり得る。
【００５５】
図６Ｃは、患者、介護者、薬局、他の任意の個人またはエンティティ、および／またはそれらの任意の組合せに向けた１つ以上のリマインダおよび／またはアラートを生成するため、薬剤容器（例えば薬剤容器５ａ、６５ａ、７５ａまたは９５ａ）上の回路と通信できるサーバーコンピュータ２４０ａを例示する。サーバーコンピュータ２４０ａは、少なくとも１つの通信受信機２５０ａ、少なくとも１つのデータベース２６０ａ、少なくとも１つのプログラマブルプロセッサ２７０ａおよび少なくとも１つの通信送信機２８０ａを含むことができる。少なくとも１つのプログラマブルプロセッサ２７０ａは、異なる実施形態において、プロセッサ、マイクロプロセッサ、コントローラ、マイクロコントローラ、データプロセッサ、プログラマブルデータプロセッサなどであり得る。さまざまな実施形態において、サーバーコンピュータ２４０ａは、薬剤容器および／または１つ以上の他のコンピュータ（例えば１つ以上のコンピュータ３１０ａ）と双方向通信状態にあってよい。
【００５６】
さまざまな実施形態において、サーバーコンピュータ２４０ａの少なくとも１つの通信受信機２５０ａは、本明細書中に記載の１つ以上の薬剤容器（例えば１つ以上のカートリッジ１０ａ、２０ａ、３０ａおよび４０ａを格納する薬剤容器５ａ、６５ａ、７５ａまたは９５ａ）上の第１の通信ネットワーク２９０ａを介してデータを受信するように構成され得る。このようなデータは、例えば、本明細書中に記載のセンサの１つ以上の測定値（例えば２値検出）に対応するデータ、例えば、薬剤容器のドロワの開放および／または閉鎖（例えばドロワ５０ａ内または外への摺動）を標示する１つ以上のセンサ測定値および／または薬剤容器の１つ以上のセンサまたは１つ以上のプロセッサによって識別されるような開放および／または閉鎖の時点を標示するタイミングデータ（例えばタイムスタンプを介するもの）；薬剤容器の１つ以上のスロットの内部に１つ以上のカートリッジ（例えば１０ａ、２０ａ、３０ａおよび４０ａ）が存在するか否かを標示する１つ以上のセンサ測定値（例えば、カートリッジが薬剤容器に挿入されたかおよび／または薬剤容器から取出されたかを標示する１つ以上の測定値）および／または薬剤容器の１つ以上のセンサまたは１つ以上のプロセッサによって識別されるようなカートリッジの挿入および／または取出しの時点を標示するタイミングデータ（例えばタイムスタンプを介するもの）；および／または薬剤容器または１つ以上のカートリッジ（例えば薬剤容器のカートリッジ１０ａ、２０ａ、３０ａおよび４０ａ）の内部の薬剤の数量を標示する１つ以上のセンサ測定値および／または薬剤容器の１つ以上のセンサまたは１つ以上のプロセッサによって識別されるような測定値の時点を標示するタイミングデータ（例えばタイムスタンプを介するもの）であり得る。このようなデータおよび／または他のデータ（例えば、データベース２６０ａ内のサーバーコンピュータにより記憶されたまたはサーバーコンピュータがアクセスできる履歴データ、例えば１つ以上のセンサが受信した１つ以上の先の測定値および／またはこのような測定値のタイミングに関するタイミングデータを標示するデータ）の受信に少なくとも部分的に基づいて、１つ以上のプロセッサ２７０ａを含むサーバーコンピュータは、少なくとも１つの基準が満たされているか否かを決定することができ、この決定に基づいて、患者、介護者および／または他のエンティティ（例えば薬局）に対し１つ以上のリマインダおよび／またはアラートをトリガすることができる。例えば、テキスト、オーディオ、イメージ、ビデオまたはそれらの任意の組合せを含み得るこのようなアラートは、薬剤容器自体（例えば薬剤容器５ａ、６５ａ、７５ａまたは９５ａ）および／または他のコンピュータデバイス（例えばコンピュータデバイス３１０ａ）に対して送信され得る。
【００５７】
いくつかの実施形態において、通信ネットワークは、薬剤容器（例えば薬剤容器５ａ、６５ａ、７５ａおよび／または９５ａ）から、薬剤容器５ａ、６５ａ、７５ａおよび／または９５ａの１つ以上が薬剤の補充を必要としている（例えば薬剤容器５ａ、６５ａ、７５ａおよび／または９５ａが薬局または他の施設で薬剤を送出するのに使用される場合）ことを標示するデータを受信することができる。いくつかの実施形態において、通信ネットワークは、薬剤容器（例えば薬剤容器５ａまたは６５ａ）から、患者が一用量の薬剤を失念したかまたは失念した確率が高い（例えば薬剤容器５ａ、６５ａ、７５ａおよび／または９５ａが特定の患者のために利用される場合）ことを標示するデータを受信することができる。
【００５８】
一態様において、少なくとも１つの通信受信機２５０ａは、第１の通信ネットワーク２９０ａを介して、薬剤容器５ａ、６５ａ、７５ａまたは９５ａ上の回路から、１つ以上のカートリッジ１０ａ、２０ａ、３０ａまたは４０ａ内部の予め設定された量の内容物が予め設定された時間内に引出されなかったことを標示するデータを受信するように構成され得る。例えば、このデータは、例えばカートリッジのうちの１つ以上の存在または不在を検出するように構成された１つ以上のセンサにより決定されるように、カートリッジ自体が存在するおよび／または取出されているいずれか（例えば２値検出）を標示することができる。代替的にまたは付加的に、このデータは、例えば１つ以上のカートリッジ内部の重量または数量を決定するように構成された１つ以上のセンサなどにより決定されるような、１つ以上のカートリッジについての内容物の特定の量または数量（例えば液体薬剤または丸薬の重量または数量）を識別することができる。少なくとも１つのデータベース２６０ａは、少なくとも１つの通信受信機２５０ａに対し通信可能な形で結合され得る。少なくとも１つデータベース２６０ａは、少なくとも受信データを記憶するように構成され得る。少なくとも１つのプログラマブルプロセッサ２７０ａは、少なくとも１つの通信受信機２５０ａおよび少なくとも１つのデータベース２６０ａのうちの少なくとも１つ（例えばその両方）に対し通信可能な形で結合され得る。少なくとも１つプログラマブルプロセッサ２７０ａは、データの受信時点またはその後に、少なくとも１つの基準が満たされているか否かを決定することができ、少なくとも１つの基準が満たされている場合、この少なくとも１つプログラマブルプロセッサ２７０ａは、アラートを生成する。少なくとも１つの通信送信機２８０ａは、少なくとも１つのプログラマブルプロセッサ２７０ａに対し通信可能な形で結合され得る。少なくとも１つの通信送信機２８０ａは、第２の通信ネットワーク３００ａを介して、コンピュータデバイス３１０ａ（例えば薬局のコンピュータ）および／または薬剤容器（例えば薬剤容器５ａ、６５ａ、７５ａまたは９５ａ）に対して、１つ以上のアラートを送信するように構成され得る。
【００５９】
１つ以上のカートリッジ１０ａ、２０ａ、３０ａまたは４０ａ内部の予め設定された量の内容物が引出されなかったことの標示は、薬剤容器５ａ、６５ａ、７５ａまたは９５ａ内部に格納された一用量の薬剤が失念されたかまたは他の理由で予め設定された時間内に取出されなかったまたは送出されなかったことを標示することができる。各々のコンピュータデバイス３１０ａは、デスクトップコンピュータ、ラップトップコンピュータ、タブレットコンピュータ、ファブレットコンピュータ、および携帯電話である。一実施形態において、コンピュータデバイス３１０ａは、薬剤容器５ａ、６５ａ、７５ａまたは９５ａを用いて患者により動作させられるように構成され得る。別の実施形態において、コンピュータデバイス３１０ａは、薬剤容器５ａ、６５ａ、７５ａまたは９５ａを用いて患者を処置する介護者（例えば病院、臨床医、医者、看護婦、技術者、臨床職員および／または他の任意の介護者）、１人以上の患者に対し薬剤を提供する認可を受けた薬局、および１人以上の患者のヘルスケアデータを得る認可を受けたヘルスケア会社のうちの少なくとも１つによって動作させられるように構成され得る。１つの実施形態において、第１の通信ネットワーク２９０ａは、第２の通信ネットワーク３００ａ（例えばインタネット）と同じかまたは実質的に同じであり得る。変形実施形態においては、第１の通信ネットワーク２９０ａは第２の通信ネットワーク３００ａと異なり、これと別個であり得る。第１の通信ネットワーク２９０ａは、ローカルエリアネットワーク、広域ネットワーク、インタネット、イントラネット、Ｂｌｕｅｔｏｏｔｈネットワーク、赤外線ネットワーク、他の任意のネットワーク、およびそれらの任意の組合せのうちの１つであり得る。第２の通信ネットワーク３００ａは、ローカルエリアネットワーク、広域ネットワーク、インタネット、イントラネット、Ｂｌｕｅ−ｔｏｏｔｈネットワーク、赤外線ネットワーク、他の任意のネットワーク、およびそれらの任意の組合せであり得る。
【００６０】
１つの実施形態において、少なくとも１つの基準を満たすことは、閾値を上回る、ユーザ、例えば患者または他のエンティティ（例えば薬局）のリスクレベルであり得る。例えば、少なくとも１つのプロセッサ２７０ａは、ユーザ（例えば患者）またはエンティティ（例えば薬局）の推定されたリスクを決定し、患者が投薬計画を順守しないかまたは薬局または他のエンティティが予想通りに薬剤を送出しない定義済みのリスクレベルをこの推定されたリスクが上回っていることを決定することができる。少なくとも１つのプログラマブルプロセッサ２７０ａは、データベース２６０ａ内に記憶された履歴データに少なくとも部分的に基づいてリスクレベルを計算することができる。例えば、少なくとも１つのプロセッサ２７０ａがリスクレベルを計算するために使用する履歴データには、投薬計画に対する患者の順守の尤度を特徴付ける順守スコア、薬剤容器５ａ、６５ａ、７５ａまたは９５ａからの薬剤の引出しパターン、薬剤容器５ａ、６５ａ、７５ａまたは９５ａの（例えば１つ以上のカートリッジセンサによって検出された１つ以上のカートリッジを用いた）補充パターン、薬剤容器５ａ、６５ａ、７５ａまたは９５ａ内の薬剤のタイプ、ユーザ、薬局または他のエンティティによる予想される薬剤の取出しを標示するデータ、薬剤を消費するための１つ以上の投薬量要件、薬剤容器の回路と少なくとも１つの通信受信機２５０ａとの間の１つ以上の先行通信のタイミング、薬剤容器の回路と少なくとも１つの通信受信機２５０ａとの間で、１つ以上の先行通信中に交換されたデータ、および１つ以上の先行通信に関して指摘された１つ以上のエラー、のうちの少なくとも１つが含まれ得る。
【００６１】
さまざまな実施形態に係るサーバーコンピュータの少なくとも１つのプロセッサ２７０ａは、投薬計画に対する患者の順守尤度を特徴付ける順守スコアを決定することができる。例えば、順守スコアは、同じまたは異なる投薬計画に対する患者の過去の順守に少なくとも部分的に基づくものであり得る。順守スコアは、患者の投薬計画に対する過去の順守を反映する計算された値またはスコア、例えば、患者の投薬計画に準じて患者が薬剤を消費するものと仮定されていた日数（「オン」日）に対する、患者が薬剤を消費したかまたは消費した可能性の高い日数の分率または百分率であり得、ここで一部の変形形態では、この値またはスコアを計算するサーバーコンピュータは、患者が薬剤を消費すると仮定されていなかった投薬計画の日数（「オフ」日）をスコアの計算から特定的に除外するか、または代替的にはスコアの計算において異なる形で処理することができる。例えば、いくつかの薬剤については、投薬計画は患者に、「オン」日の予め設定された数（例えば２１日）の間薬剤を服用することを求め、その後に続く予め設定された「オフ」日の間、患者は薬剤を消費すると仮定されない（例えば７日間）。少なくとも１つのデータベース２６０ａは、患者のためのこのような投薬計画または、「オン」および／または「オフ」日に関する他の任意のパターンまたは指示事項を含む他の任意の投薬計画に関するデータを記憶することができ、サーバーコンピュータの少なくとも１つのプロセッサ２７０ａは、患者のための順守スコアを計算するとき、このような「オフ」日を除外するかまたは異なる形で考慮することができる。例えば、上述の例中のサーバーコンピュータの少なくとも１つのプロセッサ２７０ａが、２１日の「オン」日のうちの１８日に患者が薬剤を消費し、７日の「オフ」日のうちのいずれの日にも消費しなかったことを標示するデータにアクセスした場合、患者の順守スコアは１８／２１つまり０．８５７であり得る（すなわち、オフ日は無視され得る）。ハイリスク患者の閾値が０．９０以下である場合、サーバーコンピュータの少なくとも１つのプロセッサ２７０ａは、０．８５７という患者の統計が０．９０未満であると決定することによって、ハイリスク患者としてこの患者を識別することができる。別の例として、サーバーコンピュータの少なくとも１つのプロセッサ２７０ａが、２１日の「オン」日のうち２１日に患者が薬剤を消費した（すなわち患者が、服用が仮定された日全てに薬剤を服用した）ものの７日の「オフ」日のうちの６日にも薬剤を消費した（すなわち７日のオフ日のうち６日についての不順守）ことを標示するデータにアクセスした場合、患者の順守スコアは２２／２８、つまり０．７８５（すなわち、「オフ」日に薬剤を服用したことが患者にとってのマイナスとしてカウントされる）であり得る。ハイリスク患者の閾値が０．９０以下である場合、サーバーコンピュータの少なくとも１つのプロセッサ２７０ａは、０．７８５が０．９０未満であると決定することによって、その患者をハイリスク患者として識別することができる。さらに別の例では、サーバーコンピュータの少なくとも１つのプロセッサ２７０ａが、２１日の「オン」日のうち２１日に患者が薬剤を消費した（すなわち患者が、服用が仮定された日全てに薬剤を服用した）ものの７日の「オフ」日のうちの３日にも薬剤を消費した（すなわち７日のオフ日のうち３日についての不順守）ことを標示するデータにアクセスした場合、患者の順守スコアは２６．５／２８、つまり０．９４６（すなわち、システムが「オフ」日における不順守を５０％割引くこと、すなわち不順守の３日は患者のスコアを計算する時１．５日の失念した日に等しいことを反映している）であり得る。ハイリスク患者の閾値が０．９０以下である場合、サーバーコンピュータの少なくとも１つのプロセッサ２７０ａは、０．９４６が０．９０より大きいと決定することによって、その患者をローリスク患者として識別することができる。以上の例で、「オフ」日についての割引がない場合、患者の順守スコアは代替的に２５／２８つまり０．８９２となると考えられ、サーバーコンピュータの少なくとも１つのプロセッサ２７０ａは、０．８９２が０．９０未満であると決定することによって、患者をハイリスク患者として識別し得ると考えられる。サーバーコンピュータの少なくとも１つのプロセッサ２７０ａは、患者についての計算された値またはスコアを閾値または閾値スコアと比較して、その患者が不順守についてハイリスクであるか否かを識別し、薬剤容器および／または別の１つ以上のコンピュータに対する１つ以上のアラートを直接トリガすることができる。いくつかの変形形態において、サーバーコンピュータの少なくとも１つのプロセッサ２７０ａは、薬剤容器および／または別の１つ以上のコンピュータに対して１つ以上のアラートをトリガすべきか否かを決定するために、患者の値またはスコアおよび閾値または閾値スコアを１つ以上の追加の基準と合わせて考慮することができる。いくつかの変形形態において、サーバーコンピュータの少なくとも１つのプロセッサ２７０ａは、薬局または他のエンティティのための予想された薬剤送出スケジュールに関するデータを、薬局または他のエンティティによる薬剤の送出に関する実際のデータと比較することによって、上述のものと類似の要領で薬局または他のエンティティについての順守スコアを決定することができる。
【００６２】
別の実施形態において、少なくとも１つの基準を満たしていることは、別の予め設定された時間（例えば、失念した用量または薬剤送出の失敗のパターンを標示し得る先行時間帯）内における１つ以上のカートリッジ１０ａ、２０ａ、３０ａまたは４０ａ内部の予め設定された量の内容物の引出しの欠如を標示するデータによって決定され得る。いくつかの実施形態において、このデータは、ユーザ、例えば患者および他のエンティティ例えば薬局についてのリスクレベルを決定するため、単独でまたは以上で識別された他の履歴データと組合せた形で使用される履歴データであり得る。他の予め設定された時間内での予め設定された量の引出しの欠如は、この他の予め設定された時間内で薬剤容器５ａ、６５ａ、７５ａまたは９５ａの内部に格納された薬剤の一用量または他の取出しが失念されたことを標示し得る。他の予め設定された時間内の予め設定された量の引出しの欠如を標示するデータは、データベース２６０ａ内に記憶され得る。少なくとも１つのプログラマブルプロセッサ２７０ａは、他の予め設定された時間内の予め設定された量の引出しの欠如を標示するデータをデータベース２６０ａから受信することによって、他の予め設定された時間内の予め設定された量の引出しの欠如を決定することができる。
【００６３】
さらに別の実施形態において、少なくとも１つの基準を満たすことは、予め設定された時間の経過後の１つ以上のカートリッジ１０ａ、２０ａ、３０ａまたは４０ａ内部の予め設定された量の内容物の引出しであり得る。予め設定された時間の経過後の１つ以上のカートリッジ１０ａ、２０ａ、３０ａまたは４０ａ内部の予め設定された量の内容物の引出しは、患者が遅延して薬剤を服用したこと、または薬剤が薬局または他のエンティティにより遅延して送出されたことを標示し得る。少なくとも１つのプログラマブルプロセッサ２７０ａは、１つ以上のカートリッジ１０ａ、２０ａ、３０ａまたは４０ａ内部の予め設定された量の内容物の引出しを標示するデータを、薬剤容器５ａ、６５ａ、７５ａまたは９５ａ上の回路から受信するように構成され得る。少なくとも１つのプログラマブルプロセッサ２７０ａは、引出しが予め設定された時間の経過後であるか否かを決定するため、引出しを標示するデータの受信の時点（例えば、薬剤容器から受信された、または少なくとも１つのプロセッサ２７０ａまたはサーバーコンピュータの他の回路により局所的に生成されたタイミングデータによって標示されるもの）を識別することができる。
【００６４】
別の実施形態において、少なくとも１つの基準を満たすことは、予め設定された時間の経過後の１つ以上のカートリッジ１０ａ、２０ａ、３０ａまたは４０ａのうちの少なくとも１つのカートリッジの補充であり得る。予め設定された時間の経過後の少なくとも１つカートリッジの補充は、少なくとも１つのカートリッジの補充が遅延したことを標示し得る。少なくとも１つのプログラマブルプロセッサ２７０ａは、少なくとも１つのカートリッジの補充を標示するデータ（例えば薬剤容器の１つ以上のカートリッジセンサによって生成されたデータ）を、薬剤容器５ａ、６５ａ、７５ａまたは９５ａ上の回路から受信するように構成され得る。少なくとも１つプログラマブルプロセッサ２７０ａは、補充が遅延したか否かを決定するため、少なくとも１つのカートリッジの補充の時点を識別または決定することができる。
【００６５】
本明細書中に記載のアラートは、オーディオ、ビジュアルまたはその両方であり得るアラームを活動化させるデータであり得る。さまざまな実施形態において、アラートは、テキストメッセージ、ボイスメッセージ、ビデオメッセージ、ソーシャルメディアメッセージ、Ｅメール、ウェブポップアップ、ページャメッセージ、他の任意のメッセージおよびそれらの任意の組合せ、のうちの１つ以上であり得る。アラートは、いくつかの実施形態においては、リマインダであり得る。
【００６６】
別の態様において、少なくとも１つの通信受信機２５０ａは、第１の通信ネットワーク２９０ａを介して、薬剤容器５ａ、６５ａ、７５ａまたは９５ａ上の回路から、薬剤容器５ａ、６５ａ、７５ａまたは９５ａの１つ以上のカートリッジ１０ａ、２０ａ、３０ａまたは４０ａが予め設定された時間内に補充されなかったことを標示するデータを受信するように構成され得る。少なくとも１つのプログラマブルプロセッサ２７０ａは、データの受信時にアラートを生成するように構成され得る。少なくとも１つの通信送信機２８０ａは、第２の通信ネットワーク３００ａを介して、コンピュータデバイス３１０ａおよび／または薬剤容器自体に対しアラートを送信するように構成され得る。
【００６７】
いくつかの実施形態において、少なくとも１つのプロセッサ２７０ａは、少なくとも１つのプロセッサ２７０ａが予め設定された時間内に薬剤容器からの通信を受信しないことに少なくとも部分的に基づいて、薬剤容器または薬剤容器内部のカートリッジが予想されたスケジュールにしたがって補充されなかったことを決定するように構成されている。例えば、少なくとも１つのプロセッサ２７０ａは、薬剤容器の１つ以上のドロワセンサおよび／または１つ以上のカートリッジセンサが予め設定された時間を超える時間帯内で活動化されなかったことを少なくとも１つのプロセッサ２７０ａが識別したことに少なくとも部分的に基づいて、薬剤容器および／または別の１つ以上のコンピュータデバイス３１０ａに対しアラート（例えばリマインダ）をトリガすることができる。予め設定された時間は、患者が一用量を服用する予想頻度を識別する患者のための投薬計画；薬剤が送出される頻度を識別する薬局または他のエンティティまたは施設の予想送出スケジュール；および／または薬剤容器または薬剤容器内部に格納されたカートリッジのための予想補充スケジュールのうちの１つ以上を標示する、データベース２６０ａ内に記憶され少なくとも１つのプロセッサ２７０ａがアクセスできるデータに少なくとも部分的に基づいて、少なくとも１つのプロセッサ２７０ａによって設定または識別され得る。少なくとも１つのプロセッサ２７０ａは、少なくとも１つのプロセッサ２７０ａが薬剤容器の１つ以上のセンサからさらなる１つ以上の通信を受信することなく予め設定された時間が経過したか否かを決定するため、例えば薬剤容器の１つ以上のセンサから少なくとも１つのプロセッサ２７０ａが最後に通信を受信した時点を標示するデータなどとこのデータを比較することができる。この決定に少なくとも部分的に基づいて（例えばこの決定のみに基づいて）、少なくとも１つのプロセッサ２７０ａは、薬剤容器および／または別の１つ以上のコンピュータデバイス３１０ａに対し１つ以上のアラートをトリガすることができる。
【００６８】
一実施形態において、コンピュータデバイス３１０ａは、患者により動作させられるように構成され得る。別の実施形態において、コンピュータデバイス３１０ａは、患者を処置する介護者、患者に対し薬剤を提供する認可を受けた薬局、および患者のヘルスケアデータを得る認可を受けたヘルスケア会社のうちの少なくとも１つによって動作させられるように構成され得る。
【００６９】
別の態様において、少なくとも１つの通信受信機２５０ａは、第１のコンピュータデバイス３１０ａおよび／または薬剤容器自体から、第１の通信ネットワーク２９０ａを介して、メッセージ（例えばテキストメッセージまたは薬剤容器自体の上またはウェブページ上のグラフィックプロンプトに対する応答）を受信するように構成され得る。少なくとも１つのプログラマブルプロセッサ２７０ａは、メッセージの受信時にアラートを生成することができる。少なくとも１つの通信送信機２８０ａは、第２の通信ネットワーク３００ａを介して第２のコンピュータデバイス３１０ａに対しアラートを送信するように構成され得る。
【００７０】
第１のコンピュータデバイス３１０ａは、患者により動作させられるように構成され得る。第２のコンピュータデバイス３１０ａは、患者を処置する介護者、患者に薬剤を提供する認可を受けた薬局、および患者のヘルスケアデータを得る認可を受けたヘルスケア会社のうちの少なくとも１つによって動作されるように構成され得る。一実施形態において、メッセージは、追加のケアに対する要求を含むことができる。
【００７１】
図７Ａ〜７Ｃ、８Ａ、８Ｂ、９Ａ〜９Ｃ、１０Ａ、１０Ｂ、１１Ａ〜１１Ｃ、１２Ａ〜１２Ｃ、１３Ａ〜１３Ｃ、１４Ａ、１４Ｂおよび１５〜１５Ｃは、現在の主題のいくつかの実施形態に係る薬剤容器（例えばボトル）内部の取出し可能なカートリッジのいくつかの実施形態を例示する。
【００７２】
図７Ａは、スマート薬剤容器２０ｂ内に挿入されるように構成された取出し可能なカートリッジ１０ｂを例示する。カートリッジ１０ｂは、薬剤容器２０ｂ内に垂直方向に設置され得る。いくつかの実施形態において、カートリッジ１０ｂは、薬剤容器２０ｂの原初のキャップをいかなる修正も施すことなくなおも使用できるようにしながら、薬剤容器２０ｂ内部に密に嵌合することができる。カートリッジ１０ｂは、患者などのユーザにより容易に設置され取外されるように構成されている。カートリッジ１０ｂは、錠剤、カプセル、粉末および液体のうちの１つ以上など、あらゆるタイプの薬剤を保管するように構成され得る。いくつかの実施形態において、カートリッジ１０ｂは、薬剤容器２０ｂの高さに等しいかまたはおおよそ等しい高さを有することができる。いくつかの実施形態において、カートリッジ１０ｂは、薬剤容器２０ｂの高さより低いが薬剤容器２０ｂの高さの半分よりは高い高さを有することができる。いくつかの実施形態において、カートリッジ１０ｂの長さおよび幅（カートリッジ１０ｂの高さに直交するかまたは実質的に直交する方向）は、薬剤容器２０ｂの本体部分の内部において、薬剤容器２０ｂの長さおよび幅より小さいものの薬剤容器２０ｂの長さおよび幅の半分よりは大きいものであり得る。１つの実施形態において、カートリッジ１０ｂは、１．７５インチ×３インチ×１．７５インチの寸法を有することができ、他の実施形態において、カートリッジは、幅約１〜３インチ、高さ約２〜７インチおよび長さ約１〜３インチの範囲内にあり得る。
【００７３】
図７Ｂは、カートリッジ１０ｂの外部形状が薬剤容器２０ｂの内部形状に適合し得ることを例示している。いくつかの実施形態において、カートリッジ１０ｂは、低密度ポリエチレン（ＬＤＰＥ）、高密度ポリエチレン（ＨＤＰＥ）、ポリプロピレン（ＰＰ）などのプラスチック、他のプラスチック、他の任意の材料および／またはそれらの任意の組合せで製造可能である。カートリッジ１０ｂは、射出成形、ブロー成形、熱成形および／または他の任意の方法によって製造可能である。いくつかの実施形態において、カートリッジ１０ｂは、薬剤容器２０ｂの内部でのカートリッジ１０ｂの恒久的設置のため、カートリッジ１０ｂの外部表面上の１つ以上の特定の場所に接着剤を含み得る。
【００７４】
カートリッジ１０ｂは、いくつかの実施形態においては、有利にもスマート薬剤容器２０ｂのための壁増厚材として役立ち、これにより、耐化学薬品性、耐透水性、耐酸素透過性および構造剛性を増大させることができる。いくつかの実施形態において、カートリッジ１０ｂは、ハンドルまたはグリップとして役立つように薬剤容器２０ｂの本体から外へ延在する部分を有することができ、これによりユーザは、必要に応じて薬剤容器２０ｂを挿入し取出すことができるようになっている。
【００７５】
図７Ｃは、カートリッジ１０ｂが薬剤容器２０ｂ内に完全に挿入された位置を例示する。図７Ｃは、カートリッジ１０ｂが薬剤容器２０ｂから部分的に取出されている位置を例示する。図７Ａは、カートリッジ１０ｂが薬剤容器２０ｂから完全に取出されている位置を例示する。
【００７６】
いくつかの実施形態において、薬剤容器２０ｂは、ボトルであり得る。薬剤容器２０ｂは概して円筒形（例えば円筒形またはほぼ円筒形）またはジャー様の形状を有することができる。薬剤容器２０ｂは、本体部分およびキャップを受入れるための上面部分を含むことができる。薬剤容器２０ｂは、その本体部分内でおよそ２．３７インチの幅および長さを有することができる。薬剤容器２０ｂの両方の本体部分に沿った高さは、およそ３．４インチであり、上面部分（薬剤容器２０ｂをキャップで閉じることができるようにするネジ山を伴う部分）の高さはおよそ０．６インチである。図示されているように、上面部分は、対応してネジ切りされたまたは構成されたキャップ（例えば捩じり止めまたはスナップ嵌合キャップを受入れるためのネジ切りまたは少なくとも１つの尾根部を有し得る。他の実施形態において、薬剤容器は、本体部分内で約１〜４インチの幅、本体部分内の約１〜４インチの長さ、および約３〜６インチの高さを有することができる。
【００７７】
図８Ａは、スマート薬剤容器２０ｂ内に取出し可能な形で挿入されるように構成された（すなわち挿入後に取出しできる）別のカートリッジ３０ｂの第１の実施形態を例示する。単一の平担な翼３５ｂがカートリッジ３０ｂの一部であり得る。平担な翼３５ｂは、薬剤容器２０ｂ内部に格納された薬剤についての情報を表示することができ、かつ／またはハンドルとしても機能し得る。平担な翼３５ｂは、矩形または方形であり得る。平担な翼３５ｂは、薬剤容器２０ｂの幅および長さ以下の幅および長さを有することができる。カートリッジ３０ｂは、薬剤容器２０ｂの原初のキャップを、いかなる修正も施すことなくなおも使用できるようにしながら、薬剤容器２０ｂ内部に密に嵌合され得る。図示されているように、平らな翼３５ｂは、薄く扁平なタブにより、薬剤容器２０ｂの内部キャビティ内部に存在するよう意図されたカートリッジ３０ｂの一部に対して連結され得る。薄いタブは、カートリッジ３０ｂの上面またはその近くの第１のエルボ継手、およびキャップを受入れるために構成された薬剤容器２０ｂの上面部分と薬剤容器２０ｂの本体部分とが遭遇する場所またはその近くにある別のエルボ継手を含むことができる。カートリッジ３０ｂは、患者などのユーザにより容易に設置され取出されるように構成され得る。カートリッジ３０ｂは、錠剤、カプセル、粉末および液体のうちの１つ以上などのあらゆるタイプの薬剤を保管するように構成され得る。
【００７８】
カートリッジ３０ｂは、低密度ポリエチレン（ＬＤＰＥ）、高密度ポリエチレン（ＨＤＰＥ）、ポリプロピレン（ＰＰ）などのプラスチック、他のプラスチック、他の任意の材料および／またはそれらの任意の組合せで製造可能である。カートリッジ３０ｂは、射出成形、ブロー成形、熱成形および／または他の任意の方法によって製造可能である。いくつかの実施形態において、カートリッジ３０ｂは、薬剤容器２０ｂの内部のカートリッジ３０ｂの恒久的設置のため、カートリッジ３０ｂの外部表面上の１つ以上の特定の場所に接着剤を含み得る。カートリッジ３０ｂは、熱成形、型抜き、押出し加工および他の任意の方法、またはそれらの任意の組合せによって製造可能である。
【００７９】
薬剤情報は、直接スクリーン印刷、熱転写、ラベル貼付、他の任意の方法、またはそれらの任意の組合せを介して、平担な翼３５ｂ上に適用され得る。
【００８０】
図８Ｂは、スマート薬剤容器２０ｂ内に取出し可能な形で挿入されるように構成された（すなわち挿入後に取出しできる）カートリッジ４０ｂの別の実施形態を例示する。丸いまたは概して丸い連続した翼４５ｂがカートリッジ４０ｂの一部であり得る。この翼４５ｂは、いくつかの実施形態において、全ての側面から薬剤容器２０ｂ全体を取り囲むことができる。いくつかの実施形態にかかわる１つの変形実施形態において、丸い翼４５ｂは薬剤容器２０ｂを部分的にカバーできる。丸い翼４５ｂは、薬剤容器２０ｂ内部に格納された薬剤についての情報を表示することができる。カートリッジ４０ｂは、薬剤容器２０ｂの原初のキャップを、いかなる修正も施すことなくなおも使用できるようにしながら、薬剤容器４０ｂ内部に密に嵌合され得る。カートリッジ４０ｂは、患者などのユーザにより容易に設置され取出されるように構成され得る。カートリッジ４０ｂは、錠剤、カプセル、粉末および液体のうちの１つ以上などのあらゆるタイプの薬剤を保管するように構成され得る。いくつかの実施形態において、図示されているようなカートリッジ４０ｂの他の要素は、上述のカートリッジ３０ｂの要素と類似のものであり得る。
【００８１】
カートリッジ４０ｂは、低密度ポリエチレン（ＬＤＰＥ）、高密度ポリエチレン（ＨＤＰＥ）、ポリプロピレン（ＰＰ）などのプラスチック、他のプラスチック、他の任意の材料および／またはそれらの任意の組合せで製造可能である。カートリッジ４０ｂは、射出成形、ブロー成形、熱成形および／または他の任意の方法によって製造可能である。いくつかの実施形態において、カートリッジ４０ｂは、薬剤容器２０ｂの内部のカートリッジ４０ｂの恒久的設置のため、カートリッジ４０ｂの外部表面上の特定の場所に接着剤を含み得る。カートリッジ４０ｂは、熱成形、型抜き、押出し加工および他の任意の方法、またはそれらの任意の組合せによって製造可能である。
【００８２】
薬剤情報は、直接スクリーン印刷、熱転写、ラベル貼付、他の任意の方法、またはそれらの任意の組合せを介して、丸い翼４５ｂ上に適用され得る。
【００８３】
図９Ａは、カートリッジ１０ｂを封止または閉鎖するためカートリッジ１０ｂ上に挿入され得る栓５０ｂを例示している。カートリッジ１０ｂの封止または閉鎖により、カートリッジ１０ｂ内部の内容物の飛び出しを防止することができる。栓５０ｂは、ユーザがカートリッジ１０ｂから栓５０ｂを取外すことができるようにするフラップまたはタブなどの特徴部を含むことができる。栓５０ｂは、カートリッジ１０ｂの内容物を補充する目的で取外しが必要となる可能性がある。栓５０ｂは、こうして、カートリッジ１０ｂが薬剤のための独立型容器として作動できるようにすることができる。栓５０ｂは同様に、カートリッジ１０ｂの内部の内容物を識別するラベルを設置するためのスペースを提供することもできる。栓５０ｂは、カートリッジ１０ｂを形成するものと同じかまたは類似の材料で製造可能である。いくつかの実施形態において、同じまたは類似の栓５０ｂをカートリッジ３０ｂおよび４０ｂ上に具備することができる。
【００８４】
図９Ｂは、栓５０ｂで閉鎖または封止されたカートリッジ１０ｂを例示している。
【００８５】
図９Ｃは、栓５０ｂで閉鎖または封止されたカートリッジ１０ｂの垂直断面を例示する。
【００８６】
図１０Ａは、誘導封止メカニズムを介してカートリッジの上面に取付けられ得るライナ６０ｂを例示する。ライナ６０ｂは、誘導ライナと呼ぶこともできる。誘導封止メカニズムは、カートリッジ１０ｂの上面にライナ６０ｂを取付けるためのものとして説明されるものの、変形実施形態においては、糊付け、くぎ打ち、縫合または他の任意の取付けメカニズムまたはそれらの組合せのうちの１つ以上などの他の取付けメカニズムを使用することができる。カートリッジ１０ｂの封止または閉鎖により、カートリッジ１０ｂ内部の内容物の飛び出しを防止することができる。ライナ６０ｂは、ユーザによるカートリッジ１０ｂからのライナ６０ｂの取外しを可能にすることのできる、フラップまたはタブなどの特徴部を含むことができる。ライナ６０ｂは、カートリッジ１１０ｂの内容物を補充する目的で取外しが必要となる可能性がある。ライナ６０ｂは、こうして、カートリッジ１１０ｂが薬剤のための独立型容器として作動できるようにすることができる。ライナ６０ｂは同様に、カートリッジ１０ｂの内部の内容物を識別するラベルを設置するためのスペースを提供することもできる。いつくかの実施形態において、ライナ６０ｂは、カートリッジ１１０ｂを形成するものと同じかまたは類似の材料で製造可能である。いくつかの実施形態において、ライナ６０ｂは、発泡剤、紙、アルミニウムまたは他の任意の材料またはそれらの組合せのうちの１つ以上で製造可能である。いくつかの実施形態において、ライナ６０ｂは、約０．０３５インチの厚みを有することができる。他の実施形態において、ライナ６０ｂは、０．０２インチ〜約０．０５インチ、または約０．０１インチ〜約０．２インチの厚みを有することができる。いくつかの実施形態において、同じまたは類似のライナ６０ｂをカートリッジ３０ｂおよび４０ｂの上に具備することができる。
【００８７】
図１０Ｂは、ライナ６０ｂで閉鎖または封止されたカートリッジ１０ｂを例示している。
【００８８】
図１１Ａは、薬剤容器との剛性取付けを可能にするためのカートリッジ７０ｂの外側のスナップ嵌合特徴部８０ｂを例示する。スナップ嵌合特徴部８０ｂは、カートリッジ７０ｂの周囲に延在する隆起した尾根部であり得る。カートリッジ７０ｂは、カートリッジ１０ｂと同じかまたは類似であり得る。いくつかの実施形態において、同じまたは類似のスナップ嵌合特徴部８０ｂを、カートリッジ３０ｂおよび４０ｂの上に具備することができる。
【００８９】
図１１Ｂは、スマート薬剤容器２０ｂの内部にスナップ嵌合特徴部８０ｂが挿入されている状態でカートリッジ７０ｂを例示している。
【００９０】
図１１Ｃは、カートリッジ７０ｂと薬剤容器２０ｂの間のスナップ留めを可能にするスナップ嵌合特徴部８０ｂのメカニズムを例示する。薬剤容器２０ｂ内へのカートリッジ７０ｂの垂直方向の設置の間、スナップ嵌合特徴部８０ｂは、弾性変形し、その後薬剤容器２０ｂの内側の対応する幾何形状内にスナップ留めし得る。スナップ嵌合特徴部８０ｂは、スマート薬剤容器２０ｂの内部にカートリッジ７０ｂを保持することができ、カートリッジ７０ｂが飛び出すかまたは緩むのを防ぐ。インサート７０ｂを薬剤容器２０ｂの外へと垂直方向に取出すためには、スナップ嵌合特徴部８０ｂを弾性変形させるため、手で、または機械的に力を加えなければならない。
【００９１】
図１２Ａは、カートリッジ１０ｂを封止または閉鎖する目的でキャップ９０ｂが弾性変形しカートリッジ１０ｂの外側にスナップ留めできるようにする幾何形状を有するキャップ９０ｂを例示している。カートリッジ１０ｂの封止または閉鎖により、カートリッジ１０ｂ内部の内容物が飛び出すのを防止することができる。キャップ９０ｂは、ユーザがカートリッジ１０ｂからキャップ９０ｂを取外すのを補助することのできる、フラップまたはタブなどの特徴部を含むことができる。キャップ９０ｂは、カートリッジ１１０ｂの内容物を補充する目的で取外しが必要となる可能性がある。キャップ９０ｂは、こうして、カートリッジ１０ｂが薬剤のための独立型容器として作動できるようにすることができる。キャップ９０ｂは同様に、カートリッジ１０ｂの内部の内容物を識別するラベルを設置するためのスペースを提供することもできる。キャップ９０ｂは、カートリッジ１０ｂを形成するものと同じかまたは類似の材料で製造可能である。例えばキャップ９０ｂは、低密度ポリエチレン（ＬＤＰＥ）、高密度ポリエチレン（ＨＤＰＥ）、ポリプロピレン（ＰＰ）などのプラスチック、他のプラスチック、他の任意の材料および／またはそれらの任意の組合せで製造可能である。いくつかの実施形態において、キャップ９０ｂは、子供のいたずらに耐える特徴部を含むことができる。いくつかの実施形態において、カートリッジ３０ｂおよび４０ｂを閉鎖するために、同じまたは類似のキャップ９０ｂを具備することができる。
【００９２】
図１２Ｂは、キャップ９０ｂで封止または閉鎖されたカートリッジ１０ｂを例示している。
【００９３】
図１２Ｃは、キャップ９０ｂで封止または閉鎖されたカートリッジ１０ｂの垂直断面を例示する。
【００９４】
図１３Ａは、スマート薬剤容器２０ｂの内部の１つ以上のセンサ１００ｂ（例えばセンサアレイ）を例示している。センサアレイ１００ｂは、例えばカートリッジ１０ｂが薬剤容器２０ｂ内に存在するかおよび／または不在であるかを検出することができ、いくつかの実施形態においては、カートリッジ１０ｂのための一意的通し番号を識別することができる。センサアレイ１００ｂは、無線周波数識別子（ＲＦＩＤ）センサであり得る。ＲＦＩＤセンサは、カートリッジ１０ｂ上のＲＦＩＤラベルおよび薬剤容器２０ｂ内の近接場読取り機を含むことができる。ＲＦＩＤセンサは有利には小型、廉価かつ使い捨てであり得る。ＲＦＩＤセンサが説明されているが、変形実施形態では、静電容量センサ、超音波センサ、赤外線センサ、ひずみゲージ、磁気センサ、一次元（ＩＤ）および２次元（２Ｄ）バーコードスキャニング、近接場通信（ＮＦＣ）、他のセンサ、ＲＦＩＤセンサおよび／またはそれらの組合せのうちの１つ以上などの他のセンサを使用することができる。
【００９５】
図１３Ｂは、センサアレイ１００ｂを含む薬剤容器２０ｂ内の取外し中または設置中のカートリッジ１０ｂを例示する。
【００９６】
図１３Ｃは、表面上に示され目に見える（例えばバーコード読取り機による読取りのため）かまたはいくつかの実施形態においては対応するセンサによる読取りのため可読デバイス（例えばＲＦＩＤタグ）内に包埋することのできる、カートリッジ１０ｂ用の一意的通し番号１１０ｂを例示している。
【００９７】
図１４Ａは、カートリッジ１２０ｂの一部である穿孔特徴部１３０ｂを例示する。穿孔特徴１３０ｂは、スマート薬剤容器２０ｂからのカートリッジ１２０ｂの容易な取外しを可能にすることができる。穿孔特徴部１３０ｂが切断されるかまたは他の形で完全に除去された後、カートリッジ１２０ｂは、屈曲しサイズが小さくなって容易に取出すことができる。穿孔特徴部１３０ｂは、カートリッジ１２０ｂの長さ、例えば、長さの一部分または代替的に全長に沿って延在することができる。穿孔特徴部は、カートリッジ１２０ｂの方向に配向された穴またはスロットのアレイを含むことができる。いくつかの実施形態において、穿孔特徴部１３０ｂは、カートリッジ１２０ｂの壁を貫通することができる。いくつかの実施形態において、カートリッジ３０ｂおよび４０ｂの上に、同じまたは類似の穿孔特徴部１３０ｂを提供することができる。
【００９８】
図１４Ｂは、穿孔特徴部１３０ｂを伴うカートリッジ１２０ｂ垂直方向断面を例示している。
【００９９】
図１５Ａは、乾燥剤チャンバ１５０ｂおよび内部に保管された１つ以上の乾燥剤袋１６０ｂを伴うカートリッジ１４０ｂを例示する。乾燥剤チャンバ１５０ｂは、カートリッジ１４０ｂの一部であり得る。一実施形態において、乾燥剤チャンバ１５０ｂは乾燥剤袋１６０ｂを含むことができる。別の実施形態において、乾燥剤チャンバ１５０ｂは、乾燥剤袋１６０ｂと別個であり得る。乾燥剤袋１５０ｂは、カートリッジ１４０ｂの内容物（例えばカートリッジ１４０ｂの内部に保管された薬剤）を乾燥剤袋１６０ｂから物理的に分離しながら、湿気が薬剤容器２０ｂおよび／またはカートリッジ１４０ｂの内部から乾燥剤袋１６０ｂ内に移行できるようにする穿孔を含むことができる。いくつかの実施形態において、カートリッジ３０ｂおよび４０ｂの内部に同じまたは類似の乾燥剤チャンバ１５０ｂおよび／または乾燥剤袋を具備することができる。
【０１００】
図１５Ｂは、乾燥剤チャンバ１５０ｂおよび内部に保管された乾燥剤袋１６０ｂを伴うカートリッジ１４０ｂの垂直方向断面の斜視図を例示する。
【０１０１】
図１５Ｃは、物理的に乾燥剤袋１６０ｂの上方にある乾燥剤チャンバ１５０ｂを示すカートリッジ１４０ｂの水平方向断面の上面図を例示する。
【０１０２】
図１６Ａ〜１６Ｅおよび１７Ａ〜１７Ｅは、現在の主題のいくつかの実施形態に係る薬剤容器のスマートキャップのいくつかの実施形態を例示している。
【０１０３】
図１６Ａは、薬剤容器１０ｃおよびそのキャップ２０ｃを例示している。いくつかの実施形態において、薬剤容器１０ｃは、薬剤容器２０ｂと同じかまたは類似のものであり得る。
【０１０４】
図１６Ｂは、上にキャップ２０ｃを伴う薬剤容器１０ｃの垂直方向断面を例示しており、これはさらにキャップセンサ３０ｃおよび容器センサ４０ｃを示している。いくつかの実施形態において、容器センサ４０ｃは、キャップセンサ３０ｃが閾値距離（例えば薬剤容器１０ｃの上面または上面に近い点での容器センサ４０ｃからの閾値距離）内に存在するか否かを検出することができる。例えば、この閾値距離はおよそ０．１２５インチであるが、他の実施形態においてはさらに大きいかまたは小さいものであり得る。キャップセンサ３０ｃは、キャップの内部の磁石であり得、容器センサ４０ｃにより検出され得る。
【０１０５】
キャップセンサ３０ｃは、キャップ２０ｃの外部表面５０ｃの下側のキャビティの中に挿入され位置設定され得る。以下で図１６Ｄに関して説明されるように、キャップ２０ｃの内部要素６０ｃが、このとき、キャップセンサ３０ｃの下側に挿入されて、キャップセンサ３０ｃが上および下からカバーされるようになっている。
【０１０６】
キャップセンサ３０ｃは、単独でまたは容器センサ４０ｃと組合せた形で、静電検知、磁石およびリードスイッチ技術、超音波距離検知、ひずみゲージ偏向検知、他の任意の検知技術、およびそれらの任意の組合せのうちの１つ以上を実施することができる。容器センサ４０ｃは、単独でまたはキャップセンサ３０ｃと組合わせた形で、静電検知、磁石およびリードスイッチ技術、超音波距離検知、ひずみゲージ偏向検知、他の任意の検知技術、およびそれらの任意の組合せのうちの１つ以上を実施することができる。一実施形態において、キャップセンサ要素３０ｃおよび容器センサ要素４０ｃは、キャップの開放および／または閉鎖などの事象および／またはキャップが開放および／または閉鎖状態にとどまる時間を検出するために共に作動するように、同じおよび類似の検知技術を実施することができる。キャップセンサ３０ｃおよび容器センサ４０ｃは、調和して作動することから、冗長性を回避するために異なる検知技術を実施しなくてよい。いくつかの実施形態において、容器センサ４０ｃは同様に、容器１０ｃ内に残った薬剤の数量を検出することもできる。
【０１０７】
いくつかの実施形態において、キャップ２０ｃをスマートキャップと呼ぶこともできる。そのような実施形態では、キャップ２０ｃは、以下で図１８に関連して詳述されるように、ネットワークインタフェース、少なくとも１つのプログラマブルプロセッサ、データベース、電子送信機および／または通信ネットワーク２９０ａまたは３００ａを介してサーバーコンピュータ２４０ａと通信するための他の任意の回路を含めた回路を含むことができる。代替的に、または付加的に、いくつかの実施形態において、遠隔サーバと通信するための回路のいくつかまたは全てをキャップ２０ｃではなく薬剤容器１０ｃの本体の内部に含めることができる。
【０１０８】
図１６Ｃは、薬剤容器１０ｃとは別個であるキャップ２０ｃを伴う薬剤容器１０ｃの垂直方向断面を例示する。
【０１０９】
図１６Ｄは、キャップ２０ｃの外部表面５０ｃの下側のキャビティの中にキャップセンサ３０ｃを挿入し位置設定することができ、そのとき、キャップ２０ｃの内部要素６０ｃがキャップセンサ３０ｃの下側に挿入され、キャップセンサ３０ｃが上および下からカバーされるようになっていることを例示している。
【０１１０】
図１６Ｅは、いくつかの実施形態において、容器センサ４０ｃを、キャップ２０ｃの受入れのための１つ以上の特徴部（例えばネジ切りまたは尾根部）に隣接する薬剤容器の領域内に位置づけできることを示す、容器センサ４０ｃのクローズアップを例示している。
【０１１１】
図１７Ａは、薬剤容器１０ｃと結合するように構成されたプルタブ構成要素７０ｃを例示している。プルタブ構成要素７０ｃは、薬剤容器１０ｃの電池区画内に挿入するための１つ以上の特徴部（例えばタブまたは尾部）を含むことができる。プルタブ構成要素７０ｃは、薬剤容器１０ｃ内に挿入された場合、薬剤容器１０ｃが薬剤容器１０ｃ内部の電池から電力を引込むのを防ぐように機能し得る。例えば、容器１０ｃ内部に挿入された１つ以上のタブは、薬剤容器１０ｃの１つ以上の電池端子から電池を物理的に分離することができる。
【０１１２】
図１７Ｂは、薬剤容器１０ｃと結合されたプルタブ構成要素７０ｃを例示する。
【０１１３】
図１７Ｃは、薬剤容器１０ｃと結合されたプルタブ構成要素７０ｃの別の図を例示する。プルタブ構成要素７０ｃは、薬剤容器１０ｃ上のスロット８０ｃ内への（図１７Ｃに示されている通りの）そのタブまたは尾部のそれぞれ挿入および取出しを通して薬剤容器１０ｃを非活動化または活動化するように構成され得る。
【０１１４】
図１７Ｄは、薬剤容器１０ｃと結合されたプルタブ構成要素７０ｃのさらに別の図を例示している。スマート薬剤容器１０ｃは、プルタブ７０ｃの尾部９０ｃを収容するデバイスを含み得る底面カバー１０を有することができる。プルタブ構成要素７０ｃは、薬剤容器１０ｃおよび／またはプルタブ構成要素７０ｃを使用するための指示事項を含む情報および／または薬剤容器１０ｃの内容物を識別する情報、および／または他の任意の情報を表示するように構成され得る。
【０１１５】
プルタブ構成要素７０ｃは、プラスチック、紙、他の任意の材料、およびそれらの任意の組合せのうちの１つ以上で製造され得る。一実施形態においては、情報をプルタブ構成要素７０ｃの全ての表面上に印刷することができる。一変形実施形態においては、外部表面のみといった、プルタブ構成要素７０ｃの選択的表面のみの上に情報を印刷することができる。
【０１１６】
図１７Ｅは、薬剤容器１０ｃと結合するように構成され得る代替的プルタブ構成要素１１０ｃを例示する。プルタブ構成要素１１０ｃは、薬剤容器１０ｃが追加情報を保持できるようにすることのできるプルタブ構成要素１１０ｃ上のポケット１２０ｃなどの１つ以上の特徴部を含むことができる。ポケット１２０ｃは、プルタブ構成要素１１０ｃの一部を成す区分または折り上げられた区分、または、もとのプルタブ構成要素１１に接着された追加の部品であり得る。物理的文書、資料、情報パック、他のハードウェアなどの多数の材料を、ポケット１２０ｃ内に挿入することができる。
【０１１７】
図１８は、患者、介護者、薬局、任意の他の個人またはエンティティ、および／またはそれらの任意の組合せのためのリマインダおよび／またはアラートを生成するため、薬剤容器（例えば各々が１つ以上のプロセッサ、１つ以上のセンサおよび少なくともネットワークインタフェースを含む１つ以上の電子送信機を含んでいてよい図７Ａ〜１７Ｅに関連して図示および説明された１つ以上の薬剤容器、例えば図７Ａ、８Ａ、１３Ａおよび１６Ａに図示された薬剤容器）上の回路と通信できるサーバーコンピュータを例示している。サーバーコンピュータ２４０ａは、同じ建物内部の異なる室内、異なる建物内、異なる都市内、異なる州内、異なる国内または、任意の遠隔距離といったように、薬剤容器（例えば薬剤容器２０ｂまたは１０ｃ）に対し遠隔のものであり得る。通信ネットワーク２９０ａまたは３００ａは、ローカルエリアネットワーク、広域ネットワーク、インタネット、イントラネット、Ｂｌｕｅｔｏｏｔｈネットワーク、赤外線ネットワーク、他の任意のネットワーク、およびそれらの任意の組合せのうちの１つ以上であり得る。さまざまな実施形態において、サーバーコンピュータ２４０ａは、薬剤容器および／または１つ以上の他のコンピュータ（例えば１つ以上のコンピュータ３１０ａ）と双方向通信状態にあってよい。
【０１１８】
さまざまな実施形態において、サーバーコンピュータ２４０ａの少なくとも１つの通信受信機２５０ａは、本明細書に記載の１つ以上の薬剤容器（例えば薬剤容器１０ｃおよび２０ｂ）上の回路から第１の通信ネットワーク２９０ａを介してデータを受信するように構成され得る。このようなデータは例えば、本明細書中に記載のセンサのうちの１つ以上のセンサの１つ以上の測定値、例えばキャップ薬剤容器の開放または閉鎖を標示する１つ以上のセンサ測定値、１つ以上のカートリッジ（例えばカートリッジ１０ｂ）が１つの薬剤容器の内部に存在するか否かを標示する１つ以上のセンサ測定値（例えばカートリッジが薬剤容器に挿入されたかおよび／または薬剤容器から取出されたかを標示する測定値）、薬剤容器のキャビティまたは薬剤容器の１つ以上のカートリッジ（例えばカートリッジ１０ｂ）の内部の薬剤の数量を標示する１つ以上のセンサ測定値、および／または１つ以上のセンサによるこのような検出のタイミングを識別するタイミングデータに対応するデータであり得る。少なくとも部分的にこのようなデータおよび／または他のデータ（例えばデータベース２６０ａ内にサーバーコンピュータにより記憶されたかまたは他の形でサーバーコンピュータがアクセスできる履歴データ、例えば１つ以上のセンサにより受信された１つ以上の先の測定値および／またはそれに結び付けられたタイミングデータを標示するデータ）の受信に基づいて、１つ以上のプロセッサ２７０ａを含むサーバーコンピュータは、少なくとも１つの基準が満たされているか否かを決定し、その決定に基づいて、患者、介護者および／または他のエンティティ（例えば薬局）に対し１つ以上のリマインダおよび／またはアラートをトリガしてよい。例えば、テキスト、オーディオ、イメージ、ビデオまたはそれらの任意の組合せを含み得るこのようなアラートは、薬剤容器自体（例えば薬剤容器１０ｃおよび２０ｂ）および／または他のコンピュータデバイス（例えばコンピュータデバイス３１０ａ）に対して送信されてよい。
【０１１９】
いくつかの実施形態において、通信ネットワークは、薬剤容器１０ｃおよび／または２０ｂの１つ以上が薬剤の補充を必要としていることを標示する薬剤容器（例えば薬剤容器１０ｃおよび２０ｂ）からデータを受信することができる。いくつかの実施形態において、通信ネットワークは、患者が一用量の薬剤を失念したまたは失念した確率が高いことを標示するデータを薬剤容器（例えば薬剤容器１０ｃおよび２０ｂ）から受信することができる。
【０１２０】
一態様において、少なくとも１つの通信受信機２５０ａは、第１の通信ネットワーク２９０ａを介して、キャップ（例えばキャップ２ｃ）および／または薬剤容器（例えば薬剤容器１０ｃおよび２０ｂ）の本体の内部の回路から、薬剤容器１０ｃ内部の予め設定された量の内容物が予め設定された時間内に引出されなかったことを標示するデータを受信するように構成され得る。少なくとも１つのデータベース２６０ａは、少なくとも該データを記憶するように構成され得る。少なくとも１つプログラマブルプロセッサ２７０ａは、データの受信時点で、少なくとも１つの基準が満たされているか否かを決定することができ、少なくとも１つの基準が満たされている場合、少なくとも１つのプログラマブルプロセッサ２７０ａはアラートを生成する。少なくとも１つの通信送信機２８０ａは、少なくとも１つのプログラマブルプロセッサ２７０ａに対し通信可能な形で結合され得る。少なくとも１つの通信送信機２８０ａは、第２の通信ネットワーク３００ａを介して、コンピュータデバイス３１０ａおよび／または薬剤容器自体にアラートを送信するように構成され得る。
【０１２１】
薬剤容器（例えば薬剤容器１０ｃおよび２０ｂ）の内部の予め設定された量の内容物が引出されなかったことの標示は、薬剤容器内部に格納された一用量の薬剤を患者が予め設定された時間内で失念したことを標示することができる。コンピュータデバイス３１０ａは、デスクトップコンピュータ、ラップトップコンピュータ、タブレットコンピュータ、ファブレットコンピュータおよび携帯電話のうちの１つである。一実施形態において、コンピュータデバイス３１０ａは、薬剤容器を用いて患者によって動作させられるように構成され得る。別の実施形態において、コンピュータデバイス３１０ａは、薬剤容器１０ｃを使用して患者を処置する介護者（例えば病院、臨床医、医師、看護師、技師、臨床職員、および／または他の任意の介護者）、患者に対し薬剤を提供する認可を受けた薬局、および患者のヘルスケアデータを得る認可を受けたヘルスケア会社のうちの少なくとも１つにより動作させられるように構成され得る。
【０１２２】
一実施形態において、少なくとも１つの基準を満たすことは、閾値を超えるユーザのリスクレベルであり得る。少なくとも１つのプログラマブルプロセッサ２７０ａは、例えば図６Ｃに関連して以上で説明したものと類似したまたは同じ要領でデータベース２６０ａ内に記憶された履歴データに少なくとも部分的に基づいてリスクレベルを計算することができる。例えば、リスクレベルを決定するために少なくとも１つのプロセッサ２７０ａによって使用される履歴データには、薬剤容器（例えば薬剤容器１０ｃおよび２０ｂ）の１つ以上のセンサの先の測定値を標示するデータ、薬剤容器からの薬剤の引出しパターン、薬剤容器の補充パターン、薬剤容器内の薬剤のタイプ、薬剤を消費するための投薬量要件、薬剤容器の回路と少なくとも１つの通信受信機２５０ａとの間の１つ以上の先行通信のタイミング、薬剤容器の前記回路と少なくとも１つの通信受信機２５０ａとの間で、１つ以上の先行通信中に交換されたデータ、および１つ以上の先行通信に関して指摘された１つ以上のエラー、のうちの１つ以上が含まれ得る。
【０１２３】
別の実施形態において、少なくとも１つの基準を満たすことは、別の予め設定された時間内での、薬剤容器（例えば薬剤容器１０ｃおよび２０ｂ）の内部の予め設定された量の内容物の引出しの欠如であり得る。他の予め設定された時間内での予め設定された量の引出しの欠如は、薬剤容器内部に格納された薬剤の一用量を他の予め設定された時間内で失念したことを標示し得る。他の予め設定された時間内での予め設定された量の引出しの欠如を標示するデータは、データベース２６０ａ内に記憶され得る。少なくとも１つのプログラマブルプロセッサ２７０ａは、他の予め設定された時間内での予め設定された量の引出しの欠如を標示するデータをデータベース２６０ａから受信することによって、他の予め設定された時間内での予め設定された量の引出しの欠如を決定することができる。
【０１２４】
さらに別の実施形態において、少なくとも１つの基準を満たすことは、予め設定された時間後の薬剤容器（例えば薬剤容器１０ｃおよび２０ｂ）内部の予め設定された量の内容物の引出しであり得る。予め設定された時間後の薬剤容器の内部の予め設定された量の内容物の引出しは、患者が薬剤を遅延して服用したことを標示する。少なくとも１つのプログラマブルプロセッサ２７０ａは、薬剤容器上の回路から、薬剤容器１０ｃの内部の予め設定された量の内容物の引出しを標示するデータを受信するように構成され得る。少なくとも１つのプログラマブルプロセッサ２７０ａは、引出しを標示するデータの受信の時点を識別して、引出しが予め設定された時間の後であるか否かを決定することができる。
【０１２５】
別の実施形態では、少なくとも１つの基準を満たすことは、予め設定された時間後の薬剤容器（例えば薬剤容器１０ｃおよび２０ｂ）の補充であり得る。予め設定された時間後の薬剤容器１０ｃの補充は、薬剤容器１０ｃの補充が遅延したことを標示し得る。少なくとも１つのプログラマブルプロセッサ２７０ａは、薬剤容器上の回路から、薬剤容器の補充を標示するデータを受信するように構成され得る。少なくとも１つのプログラマブルプロセッサ２７０ａは、薬剤容器の補充の時点を識別または決定して、補充が遅延したか否かを決定することができる。
【０１２６】
本明細書中に記載のアラートは、オーディオ、ビジュアルまたはその両方であり得るアラームを活動化させるデータであり得る。さまざまな実施形態において、アラートは、テキストメッセージ、ボイスメッセージ、ビデオメッセージ、ソーシャルメディアメッセージ、Ｅメール、ウェブポップアップ、ページャメッセージ、他の任意のメッセージおよびそれらの任意の組合せ、のうちの１つ以上であり得る。アラートは、いくつかの実施形態においては、リマインダであり得る。
【０１２７】
別の態様において、少なくとも１つの通信受信機２５０ａは、第１の通信ネットワーク２９０ａを介して、薬剤容器（例えば薬剤容器１０ｃおよび２０ｂ）上の回路から、薬剤容器が予め設定された時間内に補充されなかったことを標示するデータを受信するように構成され得る。少なくとも１つのプログラマブルプロセッサ２７０ａは、データの受信時にアラートを生成するように構成され得る。少なくとも１つの通信送信機２８０ａは、第２の通信ネットワーク３００ａを介して、コンピュータデバイス３１０ａおよび／または薬剤容器自体に対しアラートを送信するように構成され得る。
【０１２８】
一実施形態において、コンピュータデバイス３１０ａは、患者により動作させられるように構成され得る。別の実施形態において、コンピュータデバイス３１０ａは、患者を処置する介護者、患者に対し薬剤を提供する認可を受けた薬局、および患者のヘルスケアデータを得る認可を受けたヘルスケア会社のうちの少なくとも１つによって動作させられるように構成され得る。
【０１２９】
別の態様において、少なくとも１つの通信受信機２５０ａは、第１のコンピュータデバイス３１０ａから、第１の通信ネットワーク２９０ａを介して、メッセージを受信するように構成され得る。少なくとも１つプログラマブルプロセッサ２７０ａは、メッセージの受信時にアラートを生成することができる。少なくとも１つの通信送信機２８０ａは、第２の通信ネットワーク３００ａを介して第２のコンピュータデバイス３１０ａに対しアラートを送信するように構成され得る。
【０１３０】
第１のコンピュータデバイス３１０ａは、患者により動作させられるように構成され得る。第２のコンピュータデバイス３１０ａは、患者を処置する介護者、患者に薬剤を提供する認可を受けた薬局、および患者のヘルスケアデータを得る認可を受けたヘルスケア会社のうちの少なくとも１つによって動作されるように構成され得る。一実施形態において、メッセージは、追加のケアに対する要求を含むことができる。
【０１３１】
いくつかの実施形態において、少なくとも１つのプロセッサ２７０ａは、患者が投薬計画を順守しなかったことおよび／または少なくとも１つのプロセッサ２７０ａが予め設定された時間内に薬剤容器からの通信を受信しないことに少なくとも部分的に基づいて、薬剤容器（例えば薬剤容器１０ｃおよび／または２０ｂ）または薬剤容器内部のカートリッジが予想されたスケジュールにしたがって補充されなかったことを決定するように構成されている。例えば、少なくとも１つのプロセッサ２７０ａは、薬剤容器の１つ以上のカートリッジセンサおよび／または１つ以上のキャップセンサが予め設定された時間を超える時間帯内で活動化されなかったことを少なくとも１つのプロセッサ２７０ａが識別したことに少なくとも部分的に基づいて、薬剤容器（例えば薬剤容器１０ｃおよび／または２０ｂ）および／または別の１つ以上のコンピュータデバイスに対しアラート（例えばリマインダ）をトリガすることができる。予め設定された時間は、患者が一用量を服用する予想頻度を識別する患者のための投薬計画；および／または薬剤容器または薬剤容器内部に格納されたカートリッジのための予想補充スケジュールを標示する、データベース２６０ａ内に記憶され少なくとも１つのプロセッサ２７０ａがアクセスできるデータに少なくとも部分的に基づいて、少なくとも１つのプロセッサ２７０ａによって設定または識別され得る。少なくとも１つのプロセッサ２７０ａは、少なくとも１つのプロセッサ２７０ａが薬剤容器の１つ以上のセンサからさらなる１つ以上の通信を受信することなく予め設定された時間が経過したか否かを決定するため、例えば薬剤容器の１つ以上のセンサから少なくとも１つのプロセッサ２７０ａが最後に通信を受信した時点を標示するデータなどとこのデータを比較することができる。この決定に少なくとも部分的に基づいて（例えばこの決定のみに基づいて）、少なくとも１つのプロセッサ２７０ａは、薬剤容器（例えば薬剤容器１０ｃおよび／または２０ｂ）および／または別の１つ以上のコンピュータデバイス３１０ａに対し１つ以上のアラートをトリガすることができる。
【０１３２】
下表１は、薬剤容器および／または１つ以上の他のコンピュータデバイス３１０ａに対しアラート（例えばリマインダ）をトリガするために、図６Ｃおよび／または図１８に示されたサーバーコンピュータの少なくとも１つのプロセッサ２７０ａによって利用され得る１つ以上の基準のさまざまな実施形態を識別している。１つのトリガ基準のみが識別（「Ａ」としてラベル付け）されているこれらのさまざまな実施形態において、少なくとも１つのプロセッサ２７０ａは、対応する識別された事象を生み出すかまたはひき起こすために、このトリガ基準が満たされていることを決定することしか必要でない。トリガ基準として２つの項目が識別（「Ａ」および「Ｂ」としてラベル付け）されている場合、いくつかの実施形態において、少なくとも１つのプロセッサ２７０ａは、両方のトリガ基準が満たされていることを少なくとも１つのプロセッサ２７０ａが決定した後に初めて、対応する識別された事象を生み出すかまたはひき起こす。他の変形形態も可能である。いくつかの実施形態において、少なくとも１つのプロセッサ２７０ａは、以下に識別されている基準に加えて、１つ以上の基準を評価する。
【０１３３】
【表１】
2019534738.tif 000003
【０１３４】
実施可能である場合にその時点で、本明細書中に記載の任意の１つ以上の実施形態、態様および変形形態を組合せることができる。本明細書中で使用される「実質的に（Ｓｕｂｓｔａｎｔｉａｌｌｙ）」、「ほぼ（ａｌｍｏｓｔ）」または「概して（ｇｅｎｅｒａｌｌｙ）」なる用語は、いくつかの実施形態において、「大部分の（ｍｏｓｔ）」を意味し得る。他の実施形態において、「実質的に」、「ほぼ」または「概して」なる用語は、全体または正則値／測度／形態の８０パーセント以上を意味し得る。いくつかの実施形態において、「実質的に」、「ほぼ」または「概して」なる用語は、全体または正則値／測度／形態の９５パーセント以上を意味し得る。いくつかの実施形態において、「実質的に」、「ほぼ」または「概して」なる用語は、全体または正則値／測度／形態の９５パーセント以上を意味し得る。本明細書中で使用される「噛合可能な形で連結された（ｍａｔｉｎｇｌｙ  ｃｏｎｎｅｃｔｅｄ）」および他の類似の用語は、２つの要素間の物理的連結を意味し得る。いくつかの実施形態において、このような連結は、２つの要素のうちの第１の要素の雄部品と２つの要素のうちの第２の要素の雌部分とを結合することによって可能にされ得る。
【０１３５】
以上でいくつかの変形形態を説明してきたが、他の修正も同じく可能である。例えば、特許出願中に記載の論理の流れは、所望の結果を達成するために図示された特定の順序または逐次的な順序を必要としない。さらに、本明細書中には、構造的要素のための好ましい材料が記されているが、デバイスはこれらの材料によって限定されない。デバイスの要素のいくつかまたは全てを製造するために、プラスチック、ゴム、発泡材、金属合金、木材および／または他の材料を使用することができる。
【０１３６】
関連する装置、システム、技術および物品も同様に記述される。１つ以上のコンピュータシステムの少なくとも１つのプログラマブルプロセッサによって実行された時点で、少なくとも１つのプログラマブルプロセッサに本明細書中の動作を行なわせる命令を含む非一時的コンピュータ可読媒体を含むコンピュータプログラムプロダクツが記述される。同様に、１つ以上のプログラマブルプロセッサおよびこの１つ以上のプログラマブルプロセッサに結合されたメモリを含むことのできるコンピュータシステムも同様に記述されている。メモリは、本明細書中に記載の動作の１つ以上を少なくとも１つのプログラマブルプロセッサに行なわせる命令を、一時的にまたは恒久的に記憶することができる。さらに、単一のコンピュータシステムの内部の、または２つ以上のコンピュータシステムの間に分散された１つ以上のプログラマブルプロセッサによって方法を実装することができる。
【０１３７】
本明細書中で使用されている用語は、特定の実施形態を説明することを目的としたものであり、フレームを限定するように意図されてはいない。本明細書中で使用されている「および／または（ａｎｄ／ｏｒ）」は、１つ以上の記述されたアイテムの任意のかつ全ての組合せを含む。「含む（ｃｏｍｐｒｉｓｅｓ）」および／または「含む（ｃｏｍｐｒｉｓｉｎｇ）」などの用語の使用は、表明された特徴、属性および構成要素の包含および存在を規定するものの、１つ以上の他の特徴、属性および構成要素の包含または追加を除外しない。
【０１３８】
本明細書中で使用される「〜のうちの少なくとも１つ（ａｔ  ｌｅａｓｔ  ｏｎｅ  ｏｆ）」または「〜のうちの１つ以上（ｏｎｅ  ｏｒ  ｍｏｒｅ  ｏｆ）」なる言い回しは、要素または特徴の一連のリストの前に現われる。「および／または（ａｎｄ／ｏｒ）」なる用語も同様に、２つ以上の要素または特徴のリスト中に現われ得る。このような言い回しは、それが使用される前後関係と暗示的または明示的に矛盾するのでないかぎり、列挙された要素または特徴のいずれかを個別にまたは、列挙された要素または特徴を他の記載の要素または特徴のいずれかと組合せた形で意味するように意図されている。例えば「ＡおよびＢのうちの少なくとも１つ」、「ＡおよびＢのうちの１つ以上」および「Ａおよび／またはＢ」なる言い回しは各々「Ａ単独、Ｂ単独、またはＡとＢを合わせて」を意味するように意図されている。さらに、以上のおよびフレーム内の「〜に基づいて（ｂａｓｅｄ  ｏｎ）」なる用語の使用は、「少なくとも部分的に〜に基づいて（ｂａｓｅｄ  ａｔ  ｌｅａｓｔ  ｉｎ  ｐａｒｔ  ｏｎ」を意味するように意図され、こうして、記載されていない特徴または要素も同様に許容可能になっている。さらに、本明細書中で使用されているように、単数の用語「ａ」、「ａｎ」および「ｔｈｅ」は、前後関係から明らかに別段の指示がないかぎり、複数の言及を含むことができる。
【０１３９】
別段の定義が無いかぎり、本明細書中で使用される全ての用語は、本発明が属する技術分野の当業者によって一般に理解されるものと同じ意味を有する。本明細書で使用される用語の意味は、関連する技術の情況におけるその意味と一貫した意味を有するものとして解釈されるべきである。
【０１４０】
本開示は、請求されている実施形態の例証とみなされるべきものであり、これらの実施形態を図により例示されている特定の実施形態に限定するように意図されたものではない。
【０１４１】
本明細書中に記載の主題のさまざまな実施形態は、デジタル電子回路、集積回路、特殊設計の特定用途向け集積回路（ＡＳＩＣ）、コンピュータハードウェア、ファームウェア、ソフトウェアおよび／またはそれらの組合せの形で実現／実装され得る。これらのさまざまな実施形態は、１つ以上のコンピュータプログラム内に実装され得る。これらのコンピュータプログラムは、プログラマブルシステム上で実行および／または解釈され得る。プログラマブルシステムは、特殊用途または一般的用途を有し得る少なくとも１つのプログラマブルプロセッサを含むことができる。少なくとも１つのプログラマブルプロセッサは、記憶システム、少なくとも１つの入力デバイスおよび少なくとも１つの出力デバイスに結合され得る。少なくとも１つのプログラマブルプロセッサは、記憶システム、少なくとも１つの入力デバイスおよび少なくとも１つの出力デバイスからデータおよび命令を受信し、これらに対してデータおよび命令を送信することができる。
【０１４２】
これらのコンピュータプログラム（プログラム、ソフトウェア、ソフトウェアアプリケーションまたはコードとしても知られる）は、プログラマブルプロセッサのための機械命令を含むことができ、高水準手続き型および／またはオブジェクト指向プログラミング言語でおよび／またはアセンブリ／機械言語で実装され得る。本明細書中で使用され得る「機械可読媒体」なる用語は、機械可読信号として機械命令を受信できる機械可読媒体を含めたプログラマブルプロセッサに対して機械命令および／またはデータを提供するために使用されるあらゆるコンピュータプログラムプロダクト、装置および／またはデバイス（例えば磁気ディスク、光ディスク、メモリ、プログラマブル論理デバイス（ＰＬＤ））を意味し得る。「機械可読信号」なる用語は、プログラマブルプロセッサに対して機械命令および／またはデータを提供するために使用されるあらゆる信号を意味し得る。
【０１４３】
ユーザとの対話を提供するためには、本明細書中に記載の主題を、例えばブラウン管（ＣＲＴ）デバイス、液晶ディスプレー（ＬＣＤ）モニタ、発光ダイオード（ＬＥＤ）モニタ、または他の任意のディスプレーデバイスなどのディスプレーデバイス（例えば薬剤容器またはキャップのディスプレーデバイス）上で１人以上のユーザに対してデータを表示できるコンピュータ上で実装することができる。コンピュータは、キーボード、マウス、トラックボール、ジョイスティックまたは他の任意の入力デバイスを介して１人以上のユーザからデータを受信することができる。ユーザとの対話を提供するためには、感覚フィードバック、例えばビジュアルフィードバック、聴覚フィードバック、触覚フィードバックおよび他の任意のフィードバックを含み得るユーザフィードバックに基づいて動作するデバイスなどの他のデバイスも提供され得る。ユーザからの入力は、音響入力、音声入力、触覚入力または他の任意の入力などの任意の形態で受信可能である。
【０１４４】
本明細書中に記載の主題は、バックエンド構成要素、ミドルウェア構成要素、フロントエンド構成要素、または１つ以上のそれらの組合せのうちの少なくとも１つを含み得るコンピュータシステム内で実装可能である。バックエンド構成要素はデータサーバであり得る。ミドルウェア構成要素はアプリケーションサーバであり得る。フロントエンド構成要素は、ユーザがそれを通して本明細書中に記載の主題の実施形態と対話できるグラフィカルユーザインタフェースまたはウェブブラウザを有するクライアントコンピュータ（例えば薬剤容器）であり得る。システムの構成要素は、通信ネットワークなどのデジタルデータ通信のあらゆる形態または媒体によって相互接続され得る。通信ネットワークの例としては、ローカルエリアネットワーク、広域ネットワーク、インタネット、イントラネット、Ｂｌｕｅｔｏｏｔｈネットワーク、赤外線ネットワークまたは他のネットワークが含まれ得る。
【０１４５】
コンピュータシステムは、クライアントおよびサーバを含むことができる。クライアントおよびサーバは、概して互いに遠隔であり得、通信ネットワークを通して対話できる。クライアントとサーバの関係は、それぞれのコンピュータ上で実行され互いにクライアント・サーバ関係を有するコンピュータプログラムによって発生し得る。
【０１４６】
以上でいくつかの変形形態を詳述したが、他の修正も可能である。例えば、添付の図の中で描かれ本明細書中で説明されている論理の流れは、所望の結果を達成するために、示された特定の順序または逐次的な順序を必要としない。すなわち、他の逐次的な順序も可能である。各図面についての以上の説明は、それぞれの実施形態セットに対応しているが、当業者であれば理解するように、他の実施形態にはいくつかの修正が必要となる可能性がある。これらの修正は、本特許出願の範囲内に入る。本明細書中に記載されている別個の実施形態について、本開示の他の実施形態において、任意の実施形態の構成要素を適宜、他の実施形態中に組込むことが可能である。このような他の実施形態は、フレームの範囲内に入る。
【図１Ａ】
2019534738.tif 000004
【図１Ｂ】
2019534738.tif 000005
【図２Ａ】
2019534738.tif 000006
【図２Ｂ】
2019534738.tif 000007
【図３】
2019534738.tif 000008
【図４Ａ】
2019534738.tif 000009
【図４Ｂ】
2019534738.tif 000010
【図５】
2019534738.tif 000011
【図６Ａ】
2019534738.tif 000012
【図６Ｂ】
2019534738.tif 000013
【図６Ｃ】
2019534738.tif 000014
【図７Ａ】
2019534738.tif 000015
【図７Ｂ】
2019534738.tif 000016
【図７Ｃ】
2019534738.tif 000017
【図８Ａ】
2019534738.tif 000018
【図８Ｂ】
2019534738.tif 000019
【図９Ａ】
2019534738.tif 000020
【図９Ｂ】
2019534738.tif 000021
【図９Ｃ】
2019534738.tif 000022
【図１０Ａ】
2019534738.tif 000023
【図１０Ｂ】
2019534738.tif 000024
【図１１Ａ】
2019534738.tif 000025
【図１１Ｂ】
2019534738.tif 000026
【図１１Ｃ】
2019534738.tif 000027
【図１２Ａ】
2019534738.tif 000028
【図１２Ｂ】
2019534738.tif 000029
【図１２Ｃ】
2019534738.tif 000030
【図１３Ａ】
2019534738.tif 000031
【図１３Ｂ】
2019534738.tif 000032
【図１３Ｃ】
2019534738.tif 000033
【図１４Ａ】
2019534738.tif 000034
【図１４Ｂ】
2019534738.tif 000035
【図１５Ａ】
2019534738.tif 000036
【図１５Ｂ】
2019534738.tif 000037
【図１５Ｃ】
2019534738.tif 000038
【図１６Ａ】
2019534738.tif 000039
【図１６Ｂ】
2019534738.tif 000040
【図１６Ｃ】
2019534738.tif 000041
【図１６Ｄ】
2019534738.tif 000042
【図１６Ｅ】
2019534738.tif 000043
【図１７Ａ】
2019534738.tif 000044
【図１７Ｂ】
2019534738.tif 000045
【図１７Ｃ】
2019534738.tif 000046
【図１７Ｄ】
2019534738.tif 000047
【図１７Ｅ】
2019534738.tif 000048
【図１８】
2019534738.tif 000049
【国際調査報告】
2019534738.tif 000050
2019534738.tif 000051
2019534738.tif 000052
2019534738.tif 000053